(57)【要約】      （修正有）【課題】ピーク電力を確実に削減する蓄電池の充放電制御計画の作成。【解決手段】１つまたは複数の蓄電池の充放電制御装置であって、蓄電池の放電状態、通電状態、充電状態を取得する充放電状態取得手段と、取得した充放電状態が、充放電制御計画に指定される充放電状態と異なる場合に、第１の計画外使用を検出する計画外使用検出手段と、第１の計画外使用を検出した第１の蓄電池の計画外使用履歴に含まれる、第１の計画外使用に対応する計画外使用エントリに基づいて、第１の計画外使用の継続時間及び充放電状態を推定する推定手段と、第１の蓄電池の充放電制御計画を、推定した第１の計画外使用の継続時間に推定した充放電状態を有するように修正すると共に、充放電制御計画に推定した継続時間に推定した充放電状態を有する第２の蓄電池の充放電制御計画を、第１の蓄電池の充放電制御計画の修正に対応して修正する制御計画修正手段と、を有する。【選択図】図７
2015104213.tif 000002
【特許請求の範囲】
【請求項１】
１つまたは複数の蓄電池の充放電制御計画に基づく制御サービスを提供する蓄電池の充放電制御装置であって、
前記蓄電池の放電状態、通電状態、充電状態を含む充放電状態を取得する充放電状態取得手段と、
前記取得した前記充放電状態が、前記充放電制御計画に指定される前記充放電状態と異なる場合に、第１の計画外使用を検出する計画外使用検出手段と、
前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定手段と、
前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正手段と、を有する蓄電池の充放電制御装置。
【請求項２】
請求項１において、
前記制御計画修正手段は、修正後の前記第１、第２の蓄電池の充放電制御計画を含む前記複数の蓄電池の充放電制御計画に基づいた場合のピーク電力が、前記第１、第２の蓄電池の充放電制御計画を修正しない場合のピーク電力を超えないように、または、所定の制限値を超えないように、前記第２の蓄電池の充放電制御計画を修正する蓄電池の充放電制御装置。
【請求項３】
請求項１または２において、
前記制御計画修正手段は、さらに、前記第１の蓄電池の前記充放電制御計画の前記継続時間以外の時間帯の前記充放電状態を、前記継続時間に前記推定した充放電状態への制御が可能になるように修正する蓄電池の充放電制御装置。
【請求項４】
請求項１乃至３のいずれかにおいて、
前記計画外使用検出手段は、さらに、取得した前記第１の蓄電池の所定時間の前記充放電状態と、前記計画外使用の開始時刻前の前記所定時間の充放電状態が同一である第１の蓄電池の前記計画外使用エントリに基づいて、前記所定時間の経過後に発生する第１の計画外使用を検出する蓄電池の充放電制御装置。
【請求項５】
請求項１乃至３のいずれかにおいて、さらに、
前記第１の蓄電池のユーザの予定を取得する予定取得手段を有し、
前記計画外使用検出手段は、さらに、第１の予定と識別情報が同一の１つまたは複数の第２の予定の履歴を抽出し、前記抽出した第２の予定の履歴に対応する前記計画外使用エントリに基づいて前記第１の予定に対応して発生する前記第１の計画外使用を検出する蓄電池の充放電制御装置。
【請求項６】
請求項１乃至５のいずれかにおいて、
前記制御計画修正手段は、前記第１の蓄電池の充放電制御計画に基づき、かつ第１の蓄電池において前記推定した前記第１の計画外使用の継続時間に前記推定した充放電状態が発生した場合のピーク電力が、前記第１の蓄電池の充放電制御計画を修正しない場合の前記ピーク電力を超えない場合は、前記充放電制御計画を修正しない蓄電池の充放電制御装置。
【請求項７】
請求項１乃至５のいずれかにおいて、さらに、
前記複数の蓄電池の前記充放電制御計画を、前記複数の蓄電池の充放電制御計画に基づいた場合のピーク電力が小さくなるように作成する制御計画作成手段と、を有し、
前記制御計画作成手段は、前記第１の蓄電池の前記充放電制御計画が、前記推定した前記第１の計画外使用の継続時間に前記推定した充放電状態を有するように、前記充放電制御計画を作成する蓄電池の充放電制御装置。
【請求項８】
請求項７において、さらに、
前記第１の蓄電池のユーザの予定を取得する予定取得手段と、を有し、
前記推定手段は、第１の予定と識別情報が同一の１つまたは複数の前記第２の予定の履歴の時間帯における充放電状態に基づいて、前記第１の蓄電池の前記第１の予定の時間帯の前記充放電状態を推定し、
前記制御計画作成手段は、前記第１の蓄電池の前記充放電制御計画が、前記第１の予定の時間帯に前記推定した充放電状態を有するように前記充放電制御計画を作成する蓄電池の充放電制御装置。
【請求項９】
１つまたは複数の蓄電池の充放電制御計画に基づく制御サービスを提供する蓄電池の充放電制御装置であって、
前記蓄電池の放電状態、通電状態、充電状態を含む充放電状態を取得する充放電状態取得手段と、
第１の蓄電池のユーザの予定を取得する予定取得手段と、
第１の予定と識別情報が同一の１つまたは複数の第２の予定の履歴の時間帯における充放電状態に基づいて、前記第１の蓄電池の前記第１の予定の時間帯の前記充放電状態を推定する推定手段と、
前記複数の蓄電池の前記充放電制御計画を、前記複数の蓄電池の充放電制御計画に基づく合計消費電力のピーク電力が小さくなるように作成する制御計画作成手段と、を有し、
前記制御計画作成手段は、前記第１の蓄電池の前記充放電制御計画が、前記第１の予定の時間帯に前記推定した充放電状態を有するように前記充放電制御計画を作成する蓄電池の充放電制御装置。
【請求項１０】
請求項８または９において、
前記制御計画作成手段は、前記第１の蓄電池の推定した充放電状態を考慮せずに作成した充放電制御計画において、前記第１の予定の時間帯に前記推定した充放電状態が発生した場合にピーク電力が増加しない場合、前記推定した充放電状態を考慮せずに前記充放電制御計画を作成する蓄電池の充放電制御装置。
【請求項１１】
請求項８または９において、
前記推定手段は、前記予定の時間帯の前記充放電状態に加えて、前記第１の予定の時間帯の前、後いずれかまたは両方の時間帯の前記充放電状態を推定する蓄電池の充放電制御装置。
【請求項１２】
請求項８または９において、
前記推定手段は、前記第１の予定の時間帯の前または後の時間帯を含む時間内で前記充放電状態が変化する時刻を、前記第１の予定の開始または終了時刻として修正する蓄電池の充放電制御装置。
【請求項１３】
請求項１乃至１１のいずれかにおいて、さらに、
前記蓄電池を前記充放電制御計画に基づいて制御する充放電状態制御手段と、を有する蓄電池の充放電制御装置。
【請求項１４】
１つまたは複数の蓄電池の充放電制御計画に基づく制御サービスを提供する蓄電池の充放電制御方法であって、
前記蓄電池の放電状態、通電状態、充電状態を含む充放電状態を取得する充放電状態取得工程と、
前記取得した前記充放電状態が、前記充放電制御計画に指定される前記充放電状態と異なる場合に、第１の計画外使用を検出する計画外使用検出工程と、
前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定工程と、
前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正工程と、を有する蓄電池の充放電制御方法。
【請求項１５】
１つまたは複数の蓄電池の充放電制御計画に基づく制御サービスを提供する蓄電池の充放電制御方法であって、
前記蓄電池の放電状態、通電状態、充電状態を含む充放電状態を取得する充放電状態取得工程と、
第１の蓄電池のユーザの予定を取得する予定取得工程と、
第１の予定と識別情報が同一の１つまたは複数の第２の予定の履歴の時間帯における充放電状態に基づいて、前記第１の蓄電池の前記第１の予定の時間帯の前記充放電状態を推定する推定工程と、
前記複数の蓄電池の前記充放電制御計画を、前記複数の蓄電池の充放電制御計画に基づく合計消費電力のピーク電力が小さくなるように作成する制御計画作成工程と、を有し、
前記制御計画作成工程は、前記第１の蓄電池の前記充放電制御計画が、前記第１の予定の時間帯に前記推定した充放電状態を有するように前記充放電制御計画を作成する蓄電池の充放電制御方法。
【請求項１６】
１つまたは複数の蓄電池の充放電制御計画に基づく制御サービスを提供する蓄電池の充放電制御処理をコンピュータに実行させるコンピュータ読み取り可能な蓄電池の充放電制御プログラムであって、
前記蓄電池の放電状態、通電状態、充電状態を含む充放電状態を取得する充放電状態取得工程と、
前記取得した前記充放電状態が、前記充放電制御計画に指定される前記充放電状態と異なる場合に、第１の計画外使用を検出する計画外使用検出工程と、
前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定工程と、
前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正工程と、を有する蓄電池の充放電制御プログラム。
【請求項１７】
１つまたは複数の蓄電池の充放電制御計画に基づく制御サービスを提供する蓄電池の充放電制御処理をコンピュータに実行させるコンピュータ読み取り可能な蓄電池の充放電制御プログラムであって、
前記蓄電池の放電状態、通電状態、充電状態を含む充放電状態を取得する充放電状態取得工程と、
第１の蓄電池のユーザの予定を取得する予定取得工程と、
第１の予定と識別情報が同一の１つまたは複数の第２の予定の履歴の時間帯における充放電状態に基づいて、前記第１の蓄電池の前記第１の予定の時間帯の前記充放電状態を推定する推定工程と、
前記複数の蓄電池の前記充放電制御計画を、前記複数の蓄電池の充放電制御計画に基づく合計消費電力のピーク電力が小さくなるように作成する制御計画作成工程と、を有し、
前記制御計画作成工程は、前記第１の蓄電池の前記充放電制御計画が、前記第１の予定の時間帯に前記推定した充放電状態を有するように前記充放電制御計画を作成する蓄電池の充放電制御プログラム。
【発明の詳細な説明】
【技術分野】
【０００１】
本発明は、蓄電池の充放電制御装置、蓄電池の充放電制御方法、及び、蓄電池の充放電制御プログラムに関する。
【背景技術】
【０００２】
近年、大規模災害による事故等で発電所が停止した際の電力の供給力不足が問題視されており、省エネ規制についても、総電力量からピーク電力の削減の方向に見直されている。そこで、今後は、需要家が蓄電池を有し、蓄電池を効果的に充放電する、つまり電力需要の少ない間に蓄電池に充電しておいた電力をピーク時に放電することで、ピーク電力を削減する仕組みが重要になると予想される。
【０００３】
蓄電池とは、電力を蓄える機能と、蓄えた電力を使う機能とを有する電池を示す。例えば、蓄電池は、一般的にいう定置型の蓄電池だけでなく、ＥＶ（Electric  Vehicle）や内蔵バッテリを搭載したノートＰＣをも含む。また、大規模な蓄電池は、設置スペースや価格、安全な運用など、需要家への早期の導入と普及に様々な課題を有する。このため、家庭用の定置型の蓄電池や、ＥＶ、ノートＰＣの内蔵バッテリ等の小規模な蓄電池の需要が見込まれる。
【０００４】
蓄電池を活用してピーク電力を削減するために、複数の蓄電池を集中管理する技術が提案される。この技術によると、例えば、時間帯ごとの蓄電池それぞれの充放電を規定した制御計画を作成し、充放電の制御計画にしたがって各蓄電池を制御することで、電力需要を調節する。ただし、需要家が有する蓄電池は、定置型蓄電池であれば停電に備えた予備電力確保、ＥＶであれば移動するための燃料、ノートＰＣであれば外出時などにおいてバッテリ駆動するための電源等の本来の導入目的を有する。このため、本来の導入目的と相反せずに、ピーク電力を削減する充放電制御計画が作成される必要がある。
【０００５】
例えば、蓄電池を活用した仕組みとして、電力需要予測に基づき発電機や蓄電池の運転計画を作成し、供給側の発電コストを削減する第１の方法が開示されている（例えば、特許文献１、２）。また、仮充放電制御計画の作成と、電力需要予測に基づいた仮充放電制御計画の評価との繰り返しにより、短時間で最適に近い充放電制御計画を作成する第２の方法が開示されている（例えば、特許文献３）。
【先行技術文献】
【特許文献】
【０００６】
【特許文献１】特願２００３−３３００４５号公報
【特許文献２】特願２００６−２４１６０８号公報
【特許文献３】特願２０１１−２５８２７１号公報
【発明の概要】
【発明が解決しようとする課題】
【０００７】
しかしながら、第１の方法では、供給側に蓄電池があることが想定されており、需要家が蓄電池を有し、蓄電池がピーク電力の削減以外の目的で活用されることが想定されていない。そのため、停電時に蓄電池の残量が不足して電力を使えない、または外出時においてノートＰＣのバッテリ切れが生じバッテリ駆動できない等、本来の導入目的が満たせない事態を招く可能性がある。また、複数の蓄電池を考慮した計画が作成できないため、多量の蓄電池への適用が容易ではない。
【０００８】
また、第２の方法では、電力需要予測、各蓄電池のスペック、現在の充放電状態と残量のみに基づいて充放電制御計画が作成される。このため、外出時にノートＰＣがバッテリ駆動されたような場合に計画通りの制御が実現されず、ピーク電力を削減できない問題、もしくは、ピーク電力の削減効果が減少する問題等が生じる。
【０００９】
１つの側面は、本発明は、ピーク電力を確実に削減する充放電制御計画を作成する蓄電池の充放電制御装置、蓄電池の充放電制御計画方法、及び、蓄電池の充放電制御プログラムを提供することを目的とする。
【課題を解決するための手段】
【００１０】
第１の側面は、１つまたは複数の蓄電池の充放電制御計画に基づく制御サービスを提供する蓄電池の充放電制御装置であって、前記蓄電池の放電状態、通電状態、充電状態を含む充放電状態を取得する充放電状態取得手段と、前記取得した前記充放電状態が、前記充放電制御計画に指定される前記充放電状態と異なる場合に、第１の計画外使用を検出する計画外使用検出手段と、前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定手段と、前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正手段と、を有する。
【発明の効果】
【００１１】
第１の側面によれば、充放電制御計画の計画外使用の継続時間及び充放電状態を推定し、計画外使用を検出した第１の蓄電池の充放電制御計画を修正すると共に、第２の蓄電池の充放電制御計画を第１の蓄電池の充放電制御計画の修正に対応して修正することで、ピーク電力が確実に削減される。
【図面の簡単な説明】
【００１２】
【図１】本実施の形態例における蓄電池の充放電制御装置の構成を示す図である。
【図２】本実施の形態例における蓄電池の充放電制御装置のブロック図を示す図である。
【図３】本実施の形態例における蓄電池の充放電制御装置に基づくピーク電力を説明する図である。
【図４】充放電制御計画の一例を示す図である。
【図５】第１の実施の形態例における蓄電池の充放電制御装置の処理の概要を表す図である。
【図６】第１の実施の形態例における蓄電池の充放電制御装置の処理の流れを説明するフローチャート図である。
【図７】第１の実施の形態例における処理をより詳細に説明するフローチャート図である。
【図８】第１の実施の形態例における具体例を説明する図である。
【図９】第２の実施の形態例における蓄電池の充放電制御装置の処理の流れを説明するフローチャート図である。
【図１０】第２の実施の形態例における処理をより詳細に説明するフローチャート図である。
【図１１】第２の実施の形態例における具体例を説明する図である。
【図１２】第３の実施の形態例における蓄電池の充放電制御装置の処理の流れを説明するフローチャート図である。
【図１３】第３の実施の形態例における処理をより詳細に説明するフローチャート図である。
【図１４】第３の実施の形態例における具体例を説明する図である。
【図１５】第４の実施の形態例の蓄電池の充放電制御装置の処理の概要を表す図である。
【図１６】第４の実施の形態例における蓄電池の充放電制御装置の処理の流れを説明するフローチャート図である。
【図１７】第４の実施の形態例における処理をより詳細に説明するフローチャート図である。
【図１８】第４の実施の形態例における具体例を説明する図である。
【図１９】第４の実施の形態例の変形例の処理を説明するフローチャート図である。
【図２０】第５の実施の形態例の蓄電池の充放電制御装置の処理の概要を表す図である。
【図２１】第５の実施の形態例における蓄電池の充放電制御装置の処理の流れを説明するフローチャート図である。
【図２２】第５の実施の形態例における処理をより詳細に説明するフローチャート図である。
【図２３】第５の実施の形態例における具体例を説明する図である。
【図２４】第６の実施の形態例における蓄電池の充放電制御装置の処理の流れを説明するフローチャート図である。
【図２５】第６の実施の形態例における具体例を説明する図である。
【図２６】第７の実施の形態例における蓄電池の充放電制御装置の処理の流れを説明するフローチャート図である。
【図２７】第７の実施の形態例における具体例を説明する図である。
【発明を実施するための形態】
【００１３】
以下、図面にしたがって本発明の実施の形態を説明する。ただし、本発明の技術的範囲はこれらの実施の形態に限定されず、特許請求の範囲に記載された事項とその均等物まで及ぶものである。
【００１４】
［蓄電池の充放電制御装置の構成図］
図１は、本実施の形態例における蓄電池の充放電制御装置１００の構成の一例を示す図である。図１の蓄電池の充放電制御装置１００は、例えば、コンピュータであって、社内に設置されるサーバ装置である。蓄電池の充放電制御装置１００は、例えば、ＣＰＵ（Central  Processing  Unit）３０１、ユーザからデータの入力を受け付ける入力装置３０２、モニタ３０３を有する。また、蓄電池の充放電制御装置１００は、記憶媒体からプログラム等を読み取る媒体読み取り装置３０４、他の装置と接続するためのインターフェース装置３０５、他の装置と無線により接続するための無線通信装置３０６を有する。また、蓄電池の充放電制御装置１００は、各種情報を一時記憶するＲＡＭ（Random  Access  Memory）３０７、ハードディスク装置３０８を有する。各装置３０１〜３０８は、バス３０９を介して接続される。
【００１５】
ハードディスク装置３０８には、例えば、本実施の形態例における蓄電池の充放電制御処理を行うプログラムが記憶される。また、ハードディスク装置３０８には、蓄電池の充放電制御プログラムを実現するための各種データが記憶される。ＣＰＵ３０１は、ハードディスク装置３０８に記憶されたプログラムを読み出してＲＡＭ３０７に展開し、蓄電池の充放電制御処理を実現する。
【００１６】
なお、蓄電池の充放電制御処理を行うプログラムは、必ずしもハードディスク装置３０８に記憶されている必要はない。例えば、コンピュータが読み取り可能な記録媒体に記憶されたプログラムを、ＣＰＵ３０１が読み出して実行するようにしても良い。コンピュータが読み取り可能な記録媒体は、例えば、ＣＤ−ＲＯＭやＤＶＤディスク、ＵＳＢメモリ等の可搬型記録媒体、フラッシュメモリ等の半導体メモリ、ハードディスクドライブ等が対応する。また、公衆回線、インターネット、ＬＡＮ（Local  Area  Network）、ＷＡＮ（Wide  Area  Network）等に接続された装置にこのプログラムを記憶させておき、ＣＰＵ３０１がこれらからプログラムを読み出して実行するようにしても良い。
【００１７】
図１に示すように、蓄電池の充放電制御装置１００は、例えば、分電盤２０と、ノートＰＣ（Personal  Computer）３０ａ，３０ｂ，３０ｃ（以下、ノートＰＣ３０）と、社内ＬＡＮ（Local  Area  Network）１０を介して接続される。ノートＰＣ３０は、例えば、社内のユーザが利用するノート型パーソナルコンピュータである。この例において、蓄電池は、ノートＰＣの内蔵バッテリを示す。本実施の形態例における蓄電池の充放電制御装置１００は、複数のノートＰＣの内蔵バッテリの充放電状態を時間帯毎に指定する充放電制御計画ＰＬを作成する。また、ノートＰＣ３０には、例えば、内蔵バッテリの充放電を制御するクライアント用アプリケーションがインストールされる。ノートＰＣ３０は、例えば、蓄電池の充放電制御装置１００から送信された充放電制御計画ＰＬに基づいて、内蔵バッテリの充放電状態を切り替える。
【００１８】
なお、社内ＬＡＮ１０としては、例えば、有線ＬＡＮや無線ＬＡＮなどの任意の種類の通信網が採用され、インターネットやＬＡＮなどの他のネットワークに接続されても良い。また、例えば、分電盤２０は、電源線４０を介してノートＰＣ３０ａ，３０ｂ，３０ｃに電力を供給する。また、図１において、蓄電池の充放電制御装置１００には、３台のノートＰＣ３０ａ，３０ｂ，３０ｃが接続される場合を示したが、この例に限定されるものではない。蓄電池の充放電制御装置１００には、任意の数のノートＰＣが接続されてもよい。
【００１９】
［蓄電池の充放電制御装置のブロック図］
図２は、本実施の形態例における蓄電池の充放電制御装置１００のブロック図の一例を示す図である。図２の蓄電池の充放電制御装置１００は、例えば、通信制御部１１０、記憶部１２０、制御部１３０を有する。通信制御部１１０は、図１の分電盤２０及びノートＰＣ３０の間で送受信される各種情報に関する通信を制御する。通信制御部１１０は、例えば、ネットワークインタフェースカード（ＮＩＣ：Network  Interface  Card）である。
【００２０】
制御部１３０は、例えば、状態取得部１３１、計画外使用検出部１３２、推定部１３６、充放電制御計画修正部１３７、充放電制御計画作成部１３３、充放電制御計画保存部１３４、充放電状態制御部１３５を有する。制御部１３０の機能は、例えば、図１のＣＰＵ３０１が、蓄電池の充放電制御処理を行うプログラムを実行することによって実現されてもよいし、ＡＳＩＣ（Application  Specific  Integrated  Circuit）やＦＰＧＡ（Field  Programmable  Gate  Array）などの集積回路によって実現されてもよい。
【００２１】
また、蓄電池の充放電制御装置１００の記憶部１２０は、例えば、充放電状態履歴ＳＴ、充放電制御計画ＰＬ、計画外使用履歴ＩＬを有する。充放電状態履歴ＳＴ、充放電制御計画ＰＬ、計画外使用履歴ＩＬは、本実施の形態例における蓄電池の充放電制御装置１００の制御部１３０によって作成される。記憶部１２０は、図１のＲＡＭ３０７やハードディスク装置３０８に対応する。また、記憶部１２０は、フラッシュメモリ（Flash  Memory）などの半導体メモリ素子、ハードディスクや光ディスクなどの記憶装置であってもよい。
【００２２】
制御部１３０の状態取得部１３１は、社内ＬＡＮ１０を介して、ノートＰＣ３０から蓄電池の充放電状態やバッテリ残量等の情報を取得して充放電状態履歴ＳＴを作成する。計画外使用検出部１３２は、取得した充放電状態と充放電制御計画ＰＬに指定される充放電状態とを比較し、ノートＰＣ３０の蓄電池の計画外使用を検出する。また、推定部１３６は、検出した計画外使用と計画外使用の形態が類似する計画外使用エントリを計画外使用履歴ＩＬから抽出し、抽出した計画外使用エントリに基づいて、検出した計画外使用の継続時間及び充放電状態を推定する。
【００２３】
また、充放電制御計画修正部１３７は、計画外使用を検出したノートＰＣ３０の充放電制御計画ＰＬの、推定した計画外使用の継続時間を推定した充放電状態に修正すると共に、計画外使用を検出したノートＰＣ３０以外一部のノートＰＣ３０の充放電制御計画ＰＬを消費電力の合計が所定の条件を満たすように修正する。即ち、充放電制御計画修正部１３７は、全てのノートＰＣ３０のうち、計画外使用を検出したノートＰＣ３０を含む一部のノートＰＣ３０の充放電制御計画ＰＬを再作成する。充放電制御計画保存部１３４は、再作成された充放電制御計画ＰＬを保存する。また、充放電状態制御部１３５は、充放電制御計画ＰＬに基づいて、各ノートＰＣ３０の内蔵バッテリの充放電を制御する。
【００２４】
［蓄電池の充放電状態］
ここで、蓄電池の充放電に関する状態について説明する。本実施の形態例では、ノートＰＣ３０の内蔵バッテリを蓄電池として例示する。この例において、蓄電池の充放電に関する状態には、例えば、放電状態ＢＡ、通電状態ＡＣ、充電状態ＣＨが含まれる。
【００２５】
放電状態ＢＡは、蓄電池であるノートＰＣの内蔵バッテリを放電し、ノートＰＣがバッテリ駆動する状態を示す。放電状態ＢＡでは、ＡＣ（Alternating  Current）電源からの電力の消費は生じないが、バッテリ残量は時間の経過とともに減少する。また、通電状態ＡＣは、内蔵バッテリを充電及び放電のいずれも行わず、ノートＰＣがＡＣ電源で駆動する状態を示す。通電状態ＡＣでは、バッテリ残量は時間が経過しても変化しない。また、充電状態ＣＨは、内蔵バッテリを充電し、且つ、ノートＰＣがＡＣ電源で駆動する状態を示す。充電状態ＣＨでは、ＡＣ電源からの消費電力は、充電を行う分、通電状態ＡＣよりも高い。また、充電状態ＣＨにおいて、バッテリ残量は時間の経過とともに増加する。
【００２６】
このように、本実施の形態例において、充放電状態には、放電状態ＢＡ、通電状態ＡＣ、充電状態ＣＨが含まれる。蓄電池の充放電制御装置１００は、各蓄電池を有する装置の充放電状態を時間帯毎に指定した充放電制御計画ＰＬを作成し、充放電制御計画ＰＬに基づいて蓄電池を制御することによって、ピーク電力を制御する。
【００２７】
［ピーク電力の削減］
図３は、本実施の形態例における蓄電池の充放電制御装置１００に基づくピーク電力を説明する図である。図３の横軸は１日における各時間帯を示し、縦軸は消費電力値ｋＷを示す。また、図３の棒線グラフＧ２は、充放電制御計画ＰＬに基づいて蓄電池を制御した場合における消費電力値の遷移、折れ線グラフＧ１は充放電制御計画ＰＬに基づいていない場合における消費電力値の遷移を表す。この例において、消費電力値は、例えば、部署などのオフィス、会社などの建物、あるいは地域全体等の所定の範囲における消費電力値の総和である。消費電力値は、蓄電池に加えて、蓄電池以外の機器による消費電力を含む。
【００２８】
本実施の形態例における消費電力の値は、例えば、制御対象の１つまたは複数のノートＰＣの通電状態ＡＣ、充電状態ＣＨに要する電力と、制御対象のノートＰＣ以外に要する電力との総量を示す。または、消費電力の値は、例えば、分電盤２０（図１）から供給される電力を計測した電力値である。そして、ピーク電力は、単位時間ごとの消費電力のうち、最大の消費電力である。なお、消費電力が最大となる時刻がピーク時である。
【００２９】
図３の折れ線グラフＧ１によると、充放電制御計画ＰＬに基づいていない場合、電力の遷移は安定せず、ピーク電力が高くなってしまうことが示される。一方、棒線グラフＧ２によると、充放電制御計画ＰＬに基づく場合、電力の遷移は安定し、計画的なピーク電力の削減が可能になることが示される。蓄電池の充放電制御装置１００は、充放電制御計画ＰＬに基づいて蓄電池の充放電状態を制御して、蓄電池による消費電力を増減させることで、ピーク電力を削減すると共に、供給される電力の時間毎のばらつきを抑える。したがって、蓄電池の充放電制御装置１００は、充放電制御計画ＰＬに基づく制御によって消費電力を調整することができ、蓄電池以外の機器による消費電力を含めたピーク電力を削減できる。なお、消費電力の遷移の傾向は、曜日や時期によって異なるため、蓄電池の充放電制御装置１００は、例えば、曜日や時期に対応して複数パターンの充放電制御計画ＰＬを作成してもよい。
【００３０】
［充放電制御計画ＰＬ］
図４は、充放電制御計画ＰＬの一例を示す図である。図４の充放電制御計画ＰＬは、２０１３/１/３１におけるノートＰＣ１〜ＰＣ５の充放電制御計画ＰＬである。図４の充放電制御計画ＰＬは、３０分単位に指定される充放電状態を有する。ただし、この例に限定されるものではなく、充放電制御計画ＰＬは、例えば、１時間単位に指定される充放電状態を有してもよい。
【００３１】
図４の充放電制御計画ＰＬには、ＰＣ１について、９：００〜１３：３０、１６：３０〜１７：００に通電状態ＡＣが、１３：３０〜１６：３０に放電状態ＢＡが、１７：００〜１８：００に充電状態ＣＨが指定される。また、ＰＣ２について、１０：３０〜１２：００、１３：００〜１４：００、１５：００〜１６：００、１７：００〜１８：００に通電状態ＡＣが、９：００〜１０：３０、１４：００〜１５：００に放電状態ＢＡが、１２：００〜１３：００、１６：００〜１７：００に充電状態ＣＨが指定される。他のＰＣ３〜ＰＣ５についても同様にして、単位時間毎に充放電状態が指定される。
【００３２】
ところで、充放電状態制御部１３５は、各ノートＰＣ３０の充放電状態を、充放電制御計画ＰＬの指定通りに制御できない場合がある。例えば、充放電制御計画ＰＬに通電状態ＡＣ、または充電状態ＣＨが指定されていても、出張や打合せ等によってバッテリ駆動の必要性が生じた場合、ノートＰＣ３０が放電状態ＢＡとなる。以下、ノートＰＣ３０の充放電状態を充放電制御計画ＰＬの指定通りに制御できない場合を、計画外使用と称する。計画外使用が発生すると、計画通りに消費電力が制御できない。
【００３３】
［第１の実施の形態例］
そこで、本実施の形態例における蓄電池の充放電制御装置１００は、ノートＰＣ３０の放電状態ＢＡ、通電状態ＡＣ、充電状態ＣＨを含む充放電状態を取得し、取得した充放電状態が、充放電制御計画ＰＬに指定される充放電状態と異なる場合に、第１の計画外使用を検出する。そして、蓄電池の充放電制御装置１００は、第１の計画外使用を検出した第１のノートＰＣ３０の計画外使用履歴ＩＬに含まれる、第１の計画外使用に対応する計画外使用エントリに基づいて、第１の計画外使用の継続時間及び充放電状態を推定する。そして、蓄電池の充放電制御装置１００は、第１のノートＰＣ３０の充放電制御計画ＰＬを、推定した第１の計画外使用の継続時間に推定した充放電状態を有するように修正すると共に、充放電制御計画ＰＬに推定した継続時間に推定した充放電状態を有する第２のノートＰＣ３０の充放電制御計画ＰＬを、第１のノートＰＣ３０の充放電制御計画ＰＬの修正に対応して修正する。
【００３４】
蓄電池の充放電制御装置１００は、計画外使用履歴ＩＬを使用することによって、検出した計画外使用（第１の計画外使用）の継続時間及び充放電状態を推定することができる。そして、蓄電池の充放電制御装置１００は、計画外使用を検出したノートＰＣ３０（第１のノートＰＣ３０）の充放電制御計画ＰＬを、推定した継続時間に、推定した充放電状態を有するように修正すると共に、別のノートＰＣ３０（第２のノートＰＣ３０）の充放電制御計画ＰＬを計画外使用による消費電力の増減を相殺するように修正する。蓄電池の充放電制御装置１００は、計画外使用を検出したノートＰＣ３０を含む一部のノートＰＣ３０のみの充放電制御計画ＰＬを修正することによって、迅速に、計画外使用によるピーク電力の増加を回避する。したがって、蓄電池の充放電制御装置１００は、ノートＰＣ３０が充放電制御計画ＰＬの指定通りに制御できない場合が発生しても、確実にピーク電力を抑えることができる。
【００３５】
続いて、第１の実施の形態例における蓄電池の充放電制御装置１００の処理の概要を説明する。
【００３６】
［処理の概要］
図５は、第１の実施の形態例における蓄電池の充放電制御装置１００の処理の概要を表す図である。状態取得部１３１は、各ノートＰＣ３０の現在の充放電状態、及び、バッテリ残量を取得し、各ノートＰＣ３０の充放電状態を充放電状態履歴ＳＴに記憶する。充放電制御計画作成部１３３は、定期的に、各ノートＰＣ３０のバッテリ残量等に基づいて、ピーク電力が小さくなり、いずれかの充放電状態を有する充放電制御計画ＰＬを作成する。充放電制御計画保存部１３４は、作成された充放電制御計画ＰＬをデータベース等に記憶させる。そして、充放電状態制御部１３５は、定期的に作成された充放電制御計画ＰＬに基づいて各ＰＣの蓄電池を制御する。
【００３７】
また、計画外使用検出部１３２は、状態取得部１３１が取得した充放電状態と、充放電制御計画ＰＬに指定される充放電状態とが異なる場合に、計画外使用を検出する。計画外使用検出部１３２は、検出した計画外使用の情報に基づいて計画外使用履歴ＩＬを作成する。また、計画外使用が検出された場合、推定部１３６は、計画外使用履歴ＩＬと充放電状態履歴ＳＴとを参照し、検出した計画外使用の継続時間と、当該継続時間における充放電状態とを推定する。充放電制御計画修正部１３７は、計画外使用が検出されたノートＰＣ３０の充放電制御計画ＰＬを、推定した継続時間に推定した充放電状態を有するように修正すると共に、計画外使用による消費電力の増分を相殺するために、一部のノートＰＣ３０充放電制御計画ＰＬを修正する。したがって、充放電制御計画作成部１３３が全てのノートＰＣ３０の充放電制御計画ＰＬを作成するのに対し、充放電制御計画修正部１３７は、一部のノートＰＣ３０の充放電制御計画ＰＬを再作成する。
【００３８】
［フローチャート図］
図６は、第１の実施の形態例における蓄電池の充放電制御装置１００の処理の流れを説明するフローチャート図である。まず、状態取得部１３１は、各ノートＰＣ３０の充放電状態、及び、バッテリ残量を取得し、保存する（Ｓ１）。例えば、状態取得部１３１は、定期的に（例えば、３０分毎に）、各ノートＰＣ３０の充放電状態とバッテリ残量を取得する。
【００３９】
状態取得部１３１は、例えば、ＯＳ（Operation  System）やバッテリドライバのＡＰＩ（Application  Programming  Interface）を用いて、ノートＰＣ３０の内蔵バッテリの充放電状態を取得する。または、状態取得部１３１は、例えば、ノートＰＣ３０のバッテリ残量を取得し、バッテリ残量の変化に基づいて充放電状態を判定してもよい。バッテリ残量の変化に基づく場合、例えば、バッテリ残量が減少していれば放電状態ＢＡ、一定であれば通電状態ＡＣ、増加していれば充電状態ＣＨである旨、判定可能である。または、状態取得部１３１は、外部の計測器を用いてノートＰＣ３０の消費電力を計測しておき、電力値に基づいてノートＰＣ３０の充放電状態を判定してもよい。電力値に基づく場合、例えば、計測した電力値が０であれば放電状態ＢＡ、基準値より少ない場合は通電状態ＡＣ、基準値より高い場合は充電状態ＣＨである旨、判定可能である。
【００４０】
なお、蓄電池の充放電制御装置１００は、ノートＰＣ３０に定期的に充放電状態を要求し、応答として充放電状態を受信してもよい。または、ノートＰＣ３０は、定期的に充放電状態を蓄電池の充放電制御装置１００に通知してもよい。または、外部の計測器が、ノートＰＣ３０の代わりに、蓄電池の充放電制御装置１００に対して、ノートＰＣ３０の充放電状態の送信や通知を行ってもよい。
【００４１】
次に、充放電制御計画作成部１３３は、充放電制御計画ＰＬの作成時刻に達したか否かを判定する（Ｓ２−１）。充放電制御計画作成部１３３は、例えば、毎朝７：００に当日の充放電制御計画ＰＬを作成する。充放電制御計画ＰＬの作成時刻に達すると（Ｓ２−１のＹＥＳ）、充放電制御計画作成部１３３は、電力需要予測、各ノートＰＣ３０の仕様、現在の充放電状態とバッテリ残量を考慮して、ピーク電力が小さくなるように、充放電制御計画ＰＬを作成する（Ｓ２−２）。ピーク電力を小さくする充放電制御計画ＰＬの作成方法は、例えば、特許文献３に記載される。
【００４２】
具体的に、例えば、充放電制御計画作成部１３３は、仮の充放電制御計画ＰＬを作成する。そして、充放電制御計画作成部１３３は、仮の充放電制御計画ＰＬを用いて時間帯毎の消費電力をシミュレートし、ピーク電力が前回の充放電制御計画ＰＬよりも減少する場合に、仮の充放電制御計画ＰＬを充放電制御計画ＰＬとする。そして、充放電制御計画作成部１３３は、所定の時間が経過するまで、仮の充放電制御計画ＰＬの作成処理とシミュレーションによる評価とを繰り返し、よりピーク電力の小さい充放電制御計画ＰＬを作成する。これにより、充放電制御計画作成部１３３は、いずれかの充放電状態を有し、ピーク電力が小さくなる充放電制御計画ＰＬを作成する。
【００４３】
そして、充放電状態制御部１３５は、作成された充放電制御計画ＰＬに基づいて各ＰＣの蓄電池を制御する（Ｓ６）。または、充放電状態制御部１３５は、充放電制御計画ＰＬを各ノートＰＣに送信し、各ノートＰＣが、送信された充放電制御計画ＰＬに基づいて自装置に内蔵された蓄電池の制御を行ってもよい。
【００４４】
一方、充放電制御計画ＰＬの作成時刻に達していない場合（Ｓ２−１のＮＯ）、計画外使用検出部１３２は、現在の充放電状態と、充放電制御計画ＰＬの現在時刻に指定される充放電状態とを比較し、異なる場合に計画外使用を検出する（Ｓ３）。計画外使用を検出すると、推定部１３６は、計画外使用が検出されたノートＰＣ３０の計画外使用履歴ＩＬに基づいて、充放電状態履歴ＳＴを参照し、検出した計画外使用の継続時間と、当該継続時間における充放電状態とを推定する（Ｓ４）。次に、充放電制御計画修正部１３７は、計画外使用が検出されたノートＰＣ３０の充放電制御計画ＰＬを、推定した継続時間に推定した充放電状態を有するように修正すると共に、別のノートＰＣ３０の充放電制御計画ＰＬを、計画外使用が検出されたノートＰＣ３０の充放電制御計画ＰＬの修正による消費電力の増減を相殺するように修正する（Ｓ５）。そして、充放電状態制御部１３５は、修正後の充放電制御計画ＰＬに基づいて各ＰＣの蓄電池を制御する（Ｓ６）。
【００４５】
なお、図６のフローチャート図において、計画外使用検出部１３２は、状態取得部１３１が充放電状態を取得する処理（Ｓ１）の後に、計画外使用の検出処理を行う（Ｓ３）。しかしながら、計画外使用検出部１３２は、状態取得部１３１の処理のタイミングに依存することなく、定期的に処理を行ってもよい。また、本実施の形態例における計画外使用検出部１３２は、現在の充放電状態と、充放電制御計画ＰＬの現在時刻に指定される充放電状態とが異なる場合に計画外使用を検出する（Ｓ３）。しかしながら、計画外使用検出部１３２は、状態取得部１３１がノートＰＣ３０の充放電状態を取得できない場合（例えば、ネットワーク非接続やノートＰＣ３０の電源遮断時の場合）や、取得したバッテリ残量が、充放電制御計画ＰＬに基づいてノートＰＣ３０の蓄電池を制御した際に予測されるバッテリ残量と大きく異なる場合に、計画外使用を検出してもよい。さらに、計画外使用検出部１３２は、一時的な計画外使用（位置の移動や再起動等）を除外する目的で、計画外使用の継続時間が一定以上である場合のみを検出の対象としてもよい。
【００４６】
続いて、図６のフローチャート図における工程Ｓ３〜Ｓ５の各処理の詳細を説明する。
【００４７】
［フローチャート図：詳細］
図７は、第１の実施の形態における蓄電池の充放電制御装置１００の処理をより詳細に説明するフローチャート図である。工程Ｓ１〜Ｓ２の処理は、図６のフローチャート図で説明したとおりである。初めに、工程Ｓ３の処理の詳細に説明する。充放電制御計画ＰＬの作成時刻に達していない場合（Ｓ２−１のＮＯ）、計画外使用検出部１３２は、取得した現在の充放電状態が、充放電制御計画ＰＬの現在時刻に指定される充放電状態と同一か否かを比較する（Ｓ３−１）。充放電状態が異なる場合（Ｓ３−１のＮＯ）、ノートＰＣ３０が充放電制御計画ＰＬの指定通りに制御できていないことを示すため、計画外使用検出部１３２は計画外使用を検出する。
【００４８】
計画外使用を検出すると（Ｓ３−１のＮＯ）、計画外使用検出部１３２は、計画外使用を検出したノートＰＣ３０の計画外使用履歴ＩＬから、開始時刻と終了時刻の間に現在時刻を含む計画外使用エントリを抽出する（Ｓ３−２）。または、計画外使用検出部１３２は、計画外使用履歴ＩＬから、終了時刻が未設定の計画外使用エントリを抽出する（Ｓ３−２）。抽出する計画外使用エントリがない場合、計画外使用が新たに発生したことを示すため、計画外使用検出部１３２は、新しい計画外使用エントリを作成する（Ｓ３−２）。抽出した計画外使用エントリ、または、新たに作成した計画外使用エントリは、工程Ｓ３−１において検出した、現在進行中の計画外使用に対応する計画外使用エントリを示す。
【００４９】
計画外使用エントリは、例えば、計画外使用の開始時刻、終了時刻、及び、計画外使用の検出開始時に取得した充放電状態（以下、取得状態と称する）と、検出開始時に充放電制御計画ＰＬに指定される充放電状態（以下、計画状態と称する）とを有する。計画外使用検出部１３２が新たに計画外使用エントリを作成する場合、新たな計画外使用エントリは、開始時刻に現在時刻を、終了時刻に空白（なし）を、取得状態に現在の充放電状態を、計画状態に充放電制御計画ＰＬの現在時刻に指定される充放電状態を指定する。
【００５０】
一方、計画外使用を検出しない場合、即ち、取得状態と計画状態とが同一の場合（Ｓ３−１のＹＥＳ）、計画外使用検出部１３２は、終了時刻が未設定の計画外使用エントリがあれば（Ｓ３−３のＹＥＳ）、その終了時刻に現在時刻を設定する（Ｓ３−４）。即ち、計画外使用を検出しない場合であって、終了時刻が未設定の計画外使用エントリがある場合、進行していた計画外使用が終了したことを示す。したがって、計画外使用検出部１３２は、終了時刻が未設定の計画外使用エントリがある場合に（Ｓ３−３のＹＥＳ）、計画外使用エントリを終了した状態に更新する。終了時刻が未設定の計画外使用エントリがない場合（Ｓ３−３のＮＯ）、計画外使用検出部１３２は、工程Ｓ３−４の処理を行わない。
【００５１】
計画外使用を検出した場合（Ｓ３−１のＮＯ）、計画外使用エントリの抽出処理（工程Ｓ３−２）に続いて、推定部１３６は、計画外使用の既に経過した継続時間を計算する（Ｓ４−１）。具体的に、推定部１３６は、検出した現在進行中の計画外使用エントリの開始時刻から現在時刻までの時間を、既に経過した継続時間（以下、既継続時間）として算出する。なお、新たに作成された計画外使用エントリの既継続時間は０時間である。
【００５２】
次に、推定部１３６は、計画外使用を検出したノートＰＣ３０の計画外使用履歴ＩＬから、検出した現在進行中の計画外使用と形態が類似する計画外使用エントリを抽出する（Ｓ４−２）。例えば、推定部１３６は、計画外使用を検出したノートＰＣ３０の計画外使用履歴ＩＬから、現在進行中の計画外使用と、取得状態、計画状態、及び、既継続時間が経過するまでの充放電状態が同一の計画外使用エントリを抽出する。このとき、推定部１３６は、充放電状態履歴ＳＴから、計画外使用履歴ＩＬに対応する、既継続時間が経過するまでの充放電状態を取得する。なお、計画外使用エントリが新たに作成された場合の既継続時間は、０時間である。既継続時間が０時間の場合、推定部１３６は、計画外使用履歴ＩＬから、現在進行中の計画外使用と取得状態及び計画状態が同一の計画外使用エントリを抽出する。これにより、推定部１３６は、検出した計画外使用と形態が類似する１つまたは複数の計画外使用エントリを、ノートＰＣ３０の計画外使用履歴ＩＬから抽出することができる。
【００５３】
抽出される計画外使用エントリがない場合（Ｓ４−３のＮＯ）、推定部１３６は、現在進行中の計画外使用の継続時間及び充放電状態を推定できないと判定し、充放電制御計画ＰＬを修正しない（Ａ）。一方、抽出される計画外使用エントリがある場合（Ｓ４−３のＹＥＳ）、推定部１３６は、抽出した計画外使用エントリに基づいて、現在進行中の計画外使用の継続時間及び充放電状態を推定する。前述したとおり、抽出した計画外使用エントリは、現在進行中の計画外使用と、計画外使用の形態が類似する計画外使用エントリである。
【００５４】
次に、推定部１３６は、例えば、抽出した計画外使用エントリに基づいて、計画外使用が最も長く継続する場合を想定し継続時間を推定する（Ｓ４−４）。具体的に、推定部１３６は、抽出した計画外使用エントリの継続時間のうち、最長の継続時間を現在進行中の計画外使用の継続時間として推定する。推定部１３６は、計画外使用が最も長く継続することを想定して継続時間を推定することにより、充放電制御計画ＰＬの実現性を高めることができる。ただし、推定部１３６は、抽出した計画外使用エントリの継続時間の平均を、現在進行中の計画外使用の継続時間として推定してもよい。継続時間を推定すると、推定部１３６は、現在進行中の計画外使用エントリの終了時刻に、開始時刻に、推定した継続時間を加算した時刻を設定する。なお、現在進行中の計画外使用エントリの終了時刻が既に設定されている場合、推定部１３６は、終了時刻を更新する。
【００５５】
次に、推定部１３６は、充放電状態履歴ＳＴから、抽出した計画外使用エントリの既継続時間経過後から終了時刻までの各充放電状態を取得し、抽出した計画外使用エントリの開始時刻から同時間経過後の充放電状態の中で最も多い充放電状態を、現在進行中の計画外使用エントリの開始時刻から同時間経過後の充放電状態として単位時間毎に推定する（Ｓ４−５）。推定部１３６は、形態が類似する計画外使用エントリの充放電状態から、現在進行中の計画外使用の充放電状態を推定することによって、充放電制御計画ＰＬの実現性を高めることができる。
【００５６】
次に、充放電制御計画修正部１３７は、推定した計画外使用の情報（継続時間及び充放電状態）に基づいて、計画外使用を検出したノートＰＣ３０を含む一部のノートＰＣ３０の充放電制御計画ＰＬを再作成する。具体的に、まず、充放電制御計画修正部１３７は、現在進行中の計画外使用の終了時刻までの間に、推定した充放電状態と同一の充放電状態を充放電制御計画ＰＬに有する１つまたは複数のノートＰＣ３０を、現在進行中の計画外使用の影響を相殺する対象のノートＰＣ３０として選択する（Ｓ５−１）。ただし、充放電制御計画修正部１３７は、計画外使用を検出し充放電制御計画ＰＬを修正済みのノートＰＣ３０を、影響を相殺するノートＰＣ３０の選択対象から除外する。
【００５７】
影響を相殺する対象のノートＰＣ３０が見つからない場合（Ｓ５−２のＮＯ）、充放電制御計画修正部１３７は、条件を緩和して、ノートＰＣ３０を選択する（Ｓ５−３）。例えば、充放電制御計画修正部１３７は、現在進行中の計画外使用の終了時刻までの単位時間毎に、推定した充放電状態と同一の充放電状態を充放電制御計画ＰＬに有する１つまたは複数のノートＰＣ３０をそれぞれ選択する（Ｓ５−１）。または、充放電制御計画修正部１３７は、例えば、現在進行中の計画外使用と継続時間が重複しないのであれば、計画外使用を検出し充放電制御計画ＰＬを修正済みのノートＰＣ３０を、影響を相殺する対象のノートＰＣ３０として選択してもよい。条件を緩和してもノートＰＣ３０が見つからない場合（Ｓ５−４のＮＯ）、充放電制御計画修正部１３７は、充放電制御計画ＰＬの修正を行わない（Ａ）。
【００５８】
選択するノートＰＣ３０が見つかった場合（Ｓ５−２のＹＥＳ、Ｓ５−４のＹＥＳ）、充放電制御計画修正部１３７は、現在進行中の計画外使用を検出したノートＰＣ３０と、選択した１つまたは複数のノートＰＣ３０の現在時刻以降の充放電制御計画ＰＬのみを再作成する（Ｓ５−５）。本実施の形態例における充放電制御計画修正部１３７は、計画外使用を検出したノートＰＣ３０を含む一部のノートＰＣ３０の充放電制御計画ＰＬのみを再作成することによって、計画外使用の検出に対応して、より迅速に充放電制御計画ＰＬを修正することができる。
【００５９】
具体的に、充放電制御計画修正部１３７は、現在進行中の計画外使用を検出したノートＰＣ３０の充放電制御計画ＰＬを、推定した継続時間に推定した充放電状態を有するように修正すると共に、選択したノートＰＣ３０の充放電制御計画ＰＬを、計画外使用を検出したノートＰＣ３０の充放電制御計画ＰＬへの修正に対応して修正する。より具体的に、充放電制御計画修正部１３７は、選択したノートＰＣ３０の充放電制御計画ＰＬを、例えば、検出した計画外使用による消費電力の増減を相殺するように修正する。例えば、充放電制御計画修正部１３７は、選択したノートＰＣ３０の充放電制御計画ＰＬの推定した継続時間における充放電状態を、計画外使用を検出したノートＰＣ３０の充放電制御計画ＰＬにおける修正前の充放電状態に修正する。即ち、充放電制御計画修正部１３７は、選択したノートＰＣ３０の充放電制御計画ＰＬに、計画外使用を検出したノートＰＣ３０の充放電制御計画ＰＬの修正と反対方向への修正を行う。
【００６０】
なお、充放電制御計画修正部１３７は、選択したノートＰＣ３０の修正後の充放電制御計画ＰＬに基づいた場合のピーク電力が、充放電制御計画ＰＬを修正しない場合のピーク電力を超えない範囲で修正してもよいし、所定の制限値を超えない範囲で修正してもよい。これにより、充放電制御計画修正部１３７は、充放電制御計画ＰＬをより柔軟に修正可能になるため、充放電制御計画ＰＬの修正範囲を少なくすることができる。また、充放電制御計画修正部１３７は、影響を相殺する対象のノートＰＣ３０の数を少なく抑えることができる。
【００６１】
さらに、充放電制御計画修正部１３７は、計画外使用を検出したノートＰＣ３０の充放電制御計画ＰＬの推定した継続時間以外の時間帯の充放電状態を、継続時間において推定した充放電状態への制御が可能になるようにあわせて修正する。例えば、充放電制御計画修正部１３７は、計画外使用を検出したノートＰＣ３０の充放電制御計画ＰＬの継続時間の充放電状態を通電状態ＡＣから放電状態ＢＡに修正する場合、継続時間以外で放電状態ＢＡが指定される時間帯の充放電状態を通電状態ＡＣに修正する。即ち、充放電制御計画修正部１３７は、計画外使用を検出したノートＰＣ３０の充放電制御計画ＰＬを、ノートＰＣ３０のバッテリ残量が不足しないように、推定した継続時間以外の時間帯も合わせて修正する。これにより、充放電制御計画修正部１３７は、充放電制御計画ＰＬの実現性を高め、ピーク電力をより確実に抑えることができる。
【００６２】
なお、充放電制御計画ＰＬの作成に失敗した場合（Ｓ５−６のＮＯ）、充放電制御計画修正部１３７は、条件を緩めて、充放電制御計画ＰＬを再作成する（Ｓ５−７）。例えば、充放電制御計画修正部１３７は、影響を相殺する対象のノートＰＣ３０の数を増加させる。そして、充放電制御計画修正部１３７は、計画外使用を検出したノートＰＣ３０と増加させたノートＰＣ３０との充放電制御計画ＰＬを再作成する。影響を相殺する対象のノートＰＣ３０を増加しても充放電制御計画ＰＬの作成に成功しない場合（Ｓ５−８のＮＯ）、充放電制御計画修正部１３７は、充放電制御計画ＰＬの修正を行わない（Ａ）。一方、充放電制御計画ＰＬの作成に成功した場合（Ｓ５−６のＹＥＳ）、充放電制御計画修正部１３７は、充放電制御計画ＰＬを、修正後の充放電制御計画ＰＬに更新する（Ｂ）。
【００６３】
そして、図７のフローチャート図の（Ａ）、（Ｂ）に遷移した場合、充放電状態制御部１３５は、修正後の充放電制御計画ＰＬに基づいて各ノートＰＣ３０の蓄電池を制御する（Ｓ６）。なお、充放電制御計画ＰＬの修正が行われなかった場合、充放電状態制御部１３５は、修正が行われていない元の充放電制御計画ＰＬに基づいて、各ノートＰＣ３０の蓄電池を制御する。
【００６４】
なお、充放電制御計画修正部１３７は、計画外使用の影響を相殺する対象のノートＰＣ３０の数に、上限や下限を設けてもよい。例えば、選択したノートＰＣ３０の数が設定した上限を上回る場合、充放電制御計画修正部１３７は、上限で設定された数に絞ってノートＰＣ３０を選択する。選択するノートＰＣ３０の数に上限が設定され、再作成する充放電制御計画ＰＬの範囲が狭くなることにより、充放電制御計画修正部１３７は、再作成処理に係る負荷を抑え、迅速に充放電制御計画修正部１３７を再作成することができる。
【００６５】
一方、選択したノートＰＣ３０の数が設定した下限より少ない場合、例えば、充放電制御計画修正部１３７は、条件を緩めて、選択するノートＰＣ３０を追加する。選択するノートＰＣ３０の数に下限が設定され、計画外使用の影響を相殺する対象のノートＰＣを確保することにより、充放電制御計画修正部１３７は、充放電制御計画ＰＬの修正処理の成功率を高めることができる。
【００６６】
続いて、図６、図７のフローチャート図で説明した、第１の実施の形態例における蓄電池の充放電制御装置１００の処理を具体例に基づいて説明する。
【００６７】
［具体例］
図８は、第１の実施の形態例における蓄電池の充放電制御装置１００の処理の具体例を説明する図である。具体例において、蓄電池の充放電制御装置１００は、例えば、１０：００に計画外使用を検出する例を説明する。図８は、取得したＰＣ１の充放電状態ＳＧ１、修正前の充放電制御計画ＰＬ１ａ、ＰＣ１の計画外使用履歴ＩＬ１、ＰＣ１の充放電状態履歴ＳＴ１、推定情報ＳＰ１、修正後の充放電制御計画ＰＬ１ｂの一例を有する。
【００６８】
図８の充放電制御計画ＰＬ１ａは、２０１３/１/３１の９：００に作成された充放電制御計画ＰＬ１ａである。充放電制御計画ＰＬ１ａには、例えば、ＰＣ１について、９:００〜１３:３０及び１６:３０〜１７:００に通電状態ＡＣ、１３:３０〜１６:３０に放電状態ＢＡ、１７:００〜１８:００に充電状態ＣＨが指定される。状態取得部１３１は、例えば、３０分毎に各ノートＰＣ３０の充放電状態を取得し、充放電状態履歴ＳＴ１に保存する（Ｓ１）。具体例において、状態取得部１３１は、ＰＣ１について、９:００及び９:３０に通電状態ＡＣを、１０：００に放電状態ＢＡを取得する。
【００６９】
具体例において、計画外使用検出部１３２は、１０：００に取得した充放電状態「放電状態ＢＡ」と、充放電制御計画ＰＬ１ａに指定される充放電状態「通電状態ＡＣ」とが異なるため、（Ｓ３−１のＮＯ）、計画外使用履歴ＩＬ１から、開始時刻と終了時刻の間に２０１３/１/３１ １０：００を含む計画外使用エントリを抽出する（Ｓ３−２）。具体例において、１０：００の時点で、２０１３/１/３１ １０：００を含む計画外使用のエントリは存在しないため、計画外使用検出部１３２は、図８の計画外使用履歴ＩＬ１に点線で示す計画外使用エントリｅ１−１を新たに作成する。作成した計画外使用エントリｅ１−１は、開始時刻に１０：００、終了時刻に空白、取得状態に放電状態ＢＡ、計画状態に通電状態ＡＣを有する。
【００７０】
次に、推定部１３６は、計画外使用の既継続時間を計算する（Ｓ４−１）。計画外使用エントリｅ１−１は新たに作成された計画外使用エントリであるため、既継続時間は０時間である。続いて、推定部１３６は、計画外使用履歴ＩＬ１から、計画外使用エントリｅ１−１と、取得状態「放電状態ＢＡ」及び計画状態「通電状態ＡＣ」が同一の計画外使用エントリを抽出する（Ｓ４−２）。図８の計画外使用履歴ＩＬ１によると、計画外使用エントリ「２０１３/１/２７ １０:３０〜１１:３０」、「２０１３/１/２８ １０:３０〜１２:００」、「２０１３/１/２９ １０:００〜１１:３０」、「２０１３/１/３０ １０:００〜１１:３０」ｅ１−２は、取得状態及び計画状態が計画外使用エントリｅ１−１と同一である。したがって、推定部１３６は、計画外使用履歴ＩＬ１から、２０１３/１/２７〜１/３０の各計画外使用エントリｅ１−２を抽出する。
【００７１】
続いて、推定部１３６は、抽出した２０１３/１/２７〜１/３０の計画外使用エントリｅ１−２に基づいて、現在進行中の計画外使用エントリｅ１−１の継続時間及び充放電状態を推定する（Ｓ４−３のＹＥＳ、Ｓ４−４、Ｓ４−５）。具体的に、推定部１３６は、２０１３/１/２７〜１/３０の計画外使用エントリｅ１−２の各継続時間のうち、最長の継続時間１．５時間を現在進行中の計画外使用の継続時間として推定する（Ｓ４−４）。そこで、推定部１３６は、図示していないが、現在進行中の計画外使用エントリｅ１−１の終了時刻に、開始時刻１０：００に推定した継続時間１．５時間を加算した時刻１１：３０を設定する。
【００７２】
また、推定部１３６は、現在進行中の計画外使用の継続時間における充放電状態を推定する（Ｓ４−５）。図８のＰＣ１の充放電状態履歴ＳＴ１において、充放電状態のパターンを有する四角形を内包する時間帯は、計画外使用エントリｅ１−２に対応する時間帯である。ＰＣ１の充放電状態履歴ＳＴ１によると、各計画外使用の開始時刻から３０分経過後の時刻「２０１３/１/２７ １１:００」、「２０１３/１/２８ １１:００」、「２０１３/１/２９ １０:３０」、「２０１３/１/３０ １０:３０」の充放電状態は、放電状態ＢＡが３つ、通電状態ＡＣが１つである。放電状態ＢＡが最も多いため、推定部１３６は、図８の推定情報ＳＰ１に示すように、現在進行中の計画外使用エントリの３０分経過後（１０：３０〜１１：００）の充放電状態が、放電状態ＢＡとなることを推定する。同様にして、推定部１３６は、現在進行中の計画外使用エントリの１１：００〜１１：３０の充放電状態が、放電状態ＢＡとなることを推定する。
【００７３】
なお、推定部１３６は、抽出する計画外使用エントリｅ１−２を、一定期間内の計画外使用エントリに限定してもよいし、現在進行中の計画外使用ｅ１−１と曜日や時間帯（午前、午後等）が同一の計画外使用エントリに限定してもよい。または、推定部１３６は、現在進行中の計画外使用ｅ１−１と開始時刻が同一の計画外使用エントリのみを抽出してもよい。例えば、具体例において、推定部１３６は、現在進行中の計画外使用ｅ１−１と開始時刻が同一の計画外使用エントリ「２０１３/１/２９ １０:００〜１１:３０」、「２０１３/１/３０ １０:００〜１１:３０」を抽出する。推定部１３６は、抽出する対象の計画外使用エントリを絞り込むことによって、現在進行中の計画外使用と、計画外使用の形態がより類似する計画外使用エントリを抽出することができる。したがって、推定部１３６は、計画外使用の形態の類似性がより高い計画外使用エントリに基づいて、計画外使用の継続時間及び充放電状態をより高精度に推定することができる。
【００７４】
次に、充放電制御計画修正部１３７は、推定した継続時間１０：００〜１１：３０に、推定した充放電状態「放電状態ＢＡ」を充放電制御計画ＰＬ１ａに有する１つまたは複数のノートＰＣ３０を選択する（Ｓ５−１）。図８の充放電制御計画ＰＬ１ａによると、ＰＣ３、ＰＣ４は、１０：００〜１１：３０に放電状態ＢＡを有する。したがって、充放電制御計画修正部１３７は、ＰＣ１の計画外使用による影響を相殺するためのノートＰＣ３０としてＰＣ３、ＰＣ４を選択する。
【００７５】
なお、例えば、ＰＣ３とＰＣ４が、現在進行中の計画外使用と継続時間が重複する計画外使用エントリを有する場合、充放電制御計画修正部１３７は、ＰＣ３、ＰＣ４を、影響を相殺するノートＰＣ３０の選択の対象外とする（Ｓ５−１）。また、充放電制御計画修正部１３７は、選択するノートＰＣ３０が見つからない場合（Ｓ５−２のＮＯ）、例えば、１０:００〜１０:３０に放電状態ＢＡが指定されるＰＣ２や、１０:３０〜１１:３０に放電状態ＢＡが指定されるＰＣ５を選択してもよい（Ｓ５−３）。
【００７６】
そして、充放電制御計画修正部１３７は、計３台（ＰＣ１、ＰＣ３、ＰＣ４）の１０:３０以降の充放電制御計画ＰＬ１ｂを再作成する（Ｓ５−５）。例えば、充放電制御計画修正部１３７は、ＰＣ１の充放電制御計画ＰＬ１ｂの１０:００〜１１:３０を放電状態ＢＡに修正し、ＰＣ３の充放電制御計画ＰＬ１ｂの１１:００〜１１:３０、及び、ＰＣ４の充放電制御計画ＰＬ１ｂの１０:００〜１１:００を通電状態ＡＣに修正する。具体例において、各ノートＰＣ３０のスペックが等しいことが前提である。
【００７７】
また、計画外使用が発生し、ＰＣ１の充放電制御計画ＰＬ１ｂの１０：００〜１１：３０が通電状態ＡＣから放電状態ＢＡに修正されることにより、ＰＣ１のバッテリ残量が不足し、１３：３０〜１６：３０に指定される放電状態ＢＡへの制御が行えないことがある。したがって、充放電制御計画修正部１３７は、ＰＣ１のバッテリ残量が不足しないように、ＰＣ１の充放電制御計画ＰＬ１ｂの１３：３０〜１４：００、１６：００〜１６：３０の充放電状態を、放電状態ＢＡから通電状態ＡＣに修正する。またこれに対応して、充放電制御計画修正部１３７は、ＰＣ３の充放電制御計画ＰＬ１ｂの１３:３０〜１４:００、ＰＣ４の充放電制御計画ＰＬ１ｂの１６:００〜１６:３０の充放電状態を、通電状態ＡＣから放電状態ＢＡに修正する。充放電制御計画修正部１３７は、計画外使用の継続時間以外の時間帯の充放電状態を合わせて修正することによって、各ノートＰＣ３０を、充放電制御計画ＰＬ１ｂに基づいて確実に制御可能にする。
【００７８】
なお、充放電制御計画ＰＬ１ａの修正に失敗する場合（Ｓ５−６のＮＯ）、充放電制御計画修正部１３７は、さらに、ＰＣ２とＰＣ５とを含む５台のノートＰＣ３０を対象として充放電制御計画ＰＬ１ｂを修正してもよい。
【００７９】
なお、具体例において、１０：３０に再びノートＰＣ３０の充放電状態を取得する場合の処理を説明する。計画外使用検出部１３２は、例えば、１０：３０に充放電状態「通電状態ＡＣ」を取得した場合、充放電制御計画ＰＬ１ｂに指定される充放電状態「放電状態ＢＡ」と異なることにより、計画外使用を検出する（Ｓ３−１のＮＯ）。このとき、計画外使用検出部１３２は、計画外使用履歴ＩＬ１から、１０：００に作成済みの計画外使用エントリを抽出すると共に（Ｓ３−２）、既継続時間「０．５時間」を算出する（Ｓ４−１）。そして、推定部１３６は、計画外使用履歴ＩＬ１から、計画外使用エントリ「２０１３/１/２９ １０:００〜１１:３０」を抽出する（Ｓ４−２）。計画外使用エントリ「２０１３/１/２７ １０:３０〜１１:３０」、「２０１３/１/２８ １０:３０〜１２:００」、「２０１３/１/３０ １０:００〜１１:３０」は１０：３０〜１１：００の充放電状態が放電状態ＢＡであることにより、推定部１３６は、これらの計画外使用エントリを抽出しない。
【００８０】
一方、例えば、１０：３０に充放電状態「放電状態ＢＡ」を取得した場合、充放電制御計画ＰＬ１ｂに指定される充放電状態「放電状態ＢＡ」と同一であるため（Ｓ３−１のＹＥＳ）、計画外使用検出部１３２は、計画外使用を検出しない。また、計画外使用検出部１３２は、終了時刻が未設定の計画外使用エントリはないため、工程Ｓ３−４は行わない（Ｓ３−３のＮＯ）。
【００８１】
なお、充放電制御計画修正部１３７は、計画外使用によりピーク電力が増加しない場合、または、所定の制限値を超えない場合は、充放電制御計画ＰＬ１ａを修正しなくてもよい。具体的に、推定部１３６は、計画外使用の継続時間及び充放電状態を推定した後、充放電制御計画ＰＬ１ａに基づき、かつ、推定通りに計画外使用が発生した場合のピーク電力を算出する。そして、推定部１３６は、算出したピーク電力が、充放電制御計画ＰＬ１ａを修正しない場合のピーク電力を超えない場合、または、所定の制限値を超えない場合、充放電制御計画ＰＬ１ａの再作成処理（Ｓ５−１〜Ｓ５−８）を行わない。充放電制御計画ＰＬ１ａの再作成が不要になることにより、充放電制御計画修正部１３７は、負荷を軽減することができる。
【００８２】
以上のように、第１の実施の形態例における蓄電池の充放電制御装置１００は、蓄電池の放電状態、通電状態、充電状態を含む充放電状態を取得する充放電状態取得手段と、取得した充放電状態が、充放電制御計画に指定される充放電状態と異なる場合に、第１の計画外使用を検出する計画外使用検出手段とを有する。また、蓄電池の充放電制御装置１００は、第１の計画外使用を検出した第１の蓄電池の計画外使用履歴に含まれる、第１の計画外使用に対応する計画外使用エントリに基づいて、第１の計画外使用の継続時間及び充放電状態を推定する推定手段を有する。そして、蓄電池の充放電制御装置１００は、第１の蓄電池の充放電制御計画を、推定した第１の計画外使用の継続時間に推定した充放電状態を有するように修正すると共に、充放電制御計画に推定した継続時間に推定した充放電状態を有する第２の蓄電池の充放電制御計画を、第１の蓄電池の充放電制御計画の修正に対応して修正する制御計画修正手段と、を有する。
【００８３】
蓄電池の充放電制御装置１００は、計画外使用履歴ＩＬに基づくことによって、計画外使用により生じる可能性が高い充放電状態を推定することができる。そして、蓄電池の充放電制御装置１００は、計画外使用を検出した蓄電池の充放電制御計画ＰＬを、推定した継続時間に、推定した充放電状態を有するように修正すると共に、計画外使用による消費電力の増分を相殺可能な別の蓄電池の充放電制御計画ＰＬを修正する。これにより、蓄電池の充放電制御装置１００は、蓄電池の計画外使用が生じた場合でも、ピーク電力を確実に抑えることができる。また、蓄電池の充放電制御装置１００は、計画外使用を検出した蓄電池を含む一部の蓄電池の充放電制御計画ＰＬのみを修正することによって、迅速に、充放電制御計画ＰＬを修正することができる。
【００８４】
また、需要家が有する蓄電池は、ＥＶであれば移動するための燃料、ノートＰＣであれば外出時などにおいてバッテリ駆動するための電源等の本来の導入目的を有する。本実施の形態例における蓄電池の充放電制御装置１００は、蓄電池の本来の導入目的に応じて発生する計画外使用に基づいて充放電制御計画ＰＬを修正することにより、蓄電池の本来の導入目的と相反することなく、ピーク電力を確実に抑えることができる。
【００８５】
また、第１の実施の形態例における蓄電池の充放電制御装置１００において、制御計画修正手段は、修正後の第１、第２の蓄電池の充放電制御計画を含む複数の蓄電池の充放電制御計画に基づいた場合のピーク電力が、第１、第２の蓄電池の充放電制御計画を修正しない場合のピーク電力を超えないように、または、所定の制限値を超えないように、第２の蓄電池の充放電制御計画を修正する。したがって、蓄電池の充放電制御装置１００は、充放電制御計画ＰＬをより柔軟に修正可能になるため、修正範囲を少なくすることができるほか、影響を相殺する対象の第２の蓄電池の数を少なく抑えることができる。
【００８６】
また、第１の実施の形態例における蓄電池の充放電制御装置１００において、制御計画修正手段は、さらに、第１の蓄電池の充放電制御計画の継続時間以外の時間帯の充放電状態を、継続時間に推定した充放電状態への制御が可能になるように修正する。したがって、蓄電池の充放電制御装置１００は、修正した充放電制御計画ＰＬに基づいて蓄電池をより確実に制御可能になることにより、ピーク電力が確実に抑えられる。
【００８７】
また、第１の実施の形態例における蓄電池の充放電制御装置１００において、制御計画修正手段は、第１の蓄電池の充放電制御計画に基づき、かつ、第１の蓄電池において推定した第１の計画外使用の継続時間に推定した充放電状態が発生した場合のピーク電力が、第１の蓄電池の充放電制御計画を修正しない場合のピーク電力を超えない場合は、充放電制御計画を修正しない。したがって、蓄電池の充放電制御装置１００は、ピーク電力に影響が生じない場合に、充放電制御計画ＰＬの修正を省略することによって、処理の負荷を軽減することができる。
【００８８】
また、第１の実施の形態例における蓄電池の充放電制御装置１００において、推定手段は、計画外使用履歴に含まれる、第１の計画外使用の検出開始時に取得した充放電状態と充放電制御計画に指定される充放電状態とが、第１の計画外使用と一致する計画外使用エントリに基づいて推定する。したがって、蓄電池の充放電制御装置１００は、検出した計画外使用と形態が類似する計画外使用エントリに基づいて、検出した計画外使用の継続時間及び充放電状態を推定することができる。
【００８９】
また、第１の実施の形態例における蓄電池の充放電制御装置１００において、推定手段は、抽出した計画外使用エントリの継続時間のうち最長の継続時間を、第１の計画外使用の継続時間として推定する。したがって、蓄電池の充放電制御装置１００は、計画外使用が最も長く継続することを想定して継続時間を推定することにより、充放電制御計画ＰＬが計画通りに制御できる確率を高めることができる。
【００９０】
また、第１の実施の形態例における蓄電池の充放電制御装置１００において、推定手段は、抽出した計画外使用エントリの継続時間における充放電状態のうち、最も多い充放電状態を第１の計画外使用の充放電状態として推定する。したがって、蓄電池の充放電制御装置１００は、類似する計画外使用エントリにおいて最も多く発生した充放電状態を推定することにより、充放電制御計画ＰＬが計画通りに制御できる確率を高めることができる。これにより、ピーク電力が確実に抑えられる。
【００９１】
また、第１の実施の形態例において、制御計画修正手段における第２の蓄電池は、第１の計画外使用の継続時間に計画外使用が発生していない蓄電池である。つまり、蓄電池の充放電制御装置１００は、継続時間が重複する計画外使用が発生する蓄電池を、第１の蓄電池の計画外使用による影響を相殺する蓄電池の対象から除外する。したがって、蓄電池の充放電制御装置１００は、充放電制御計画ＰＬの修正時に、確実に、影響を相殺可能な蓄電池を選択し、ピーク電力を削減することができる。
【００９２】
［第２の実施の形態例］
第１の実施の形態例では、計画外使用を検出した場合に、一部のノートＰＣ３０の充放電制御計画ＰＬを修正する処理を述べた。これに対し、第２の実施の形態例における蓄電池の充放電制御装置１００は、充放電制御計画ＰＬの作成前に、計画外使用を検出して計画外使用の情報（継続時間及び充放電状態）を推定し、推定した計画外使用の情報を適用したノートＰＣ３０の充放電制御計画ＰＬを作成する。第２の実施の形態例における蓄電池の充放電制御装置１００は、全てのノートＰＣ３０について、計画外使用の推定情報を組み込んだ充放電制御計画ＰＬを作成する。
【００９３】
第２の実施の形態例における蓄電池の充放電制御装置１００の構成及びブロック図は、第１の実施の形態例と同様である。
【００９４】
［フローチャート図］
図９は、第２の実施の形態例における蓄電池の充放電制御装置１００の処理の流れを説明するフローチャート図である。工程Ｓ１の処理は、第１の実施の形態例と同様である。第２の実施の形態例では、工程Ｓ１に続いて、充放電制御計画ＰＬの作成時刻に達したか否かに関わらず、計画外使用検出部１３２は計画外使用を検出する（Ｓ３）。計画外使用を検出すると、推定部１３６は、計画外使用が検出されたノートＰＣ３０の計画外使用履歴ＩＬに基づいて、充放電状態履歴ＳＴを参照し、検出した計画外使用の継続時間と、当該継続時間における充放電状態とを推定する（Ｓ４）。
【００９５】
続いて、充放電制御計画ＰＬの作成時刻に達すると（Ｓ２−１のＹＥＳ）、充放電制御計画作成部１３３は、検出済みの計画外使用の推定情報を有し、電力需要予測、各ノートＰＣ３０の仕様、現在の充放電状態とバッテリ残量を考慮して、ピーク電力が小さくなるように、充放電制御計画ＰＬを作成する（Ｓ７）。即ち、第２の実施の形態例では、充放電制御計画ＰＬの作成前に、計画外使用を検出し、予め、計画外使用の継続時間及び充放電状態を推定しておく。そして、充放電制御計画作成部１３３は、計画外使用の推定情報に基づいて、全てのノートＰＣ３０の充放電制御計画ＰＬを作成する。
【００９６】
充放電制御計画ＰＬの作成時刻に達していない場合（Ｓ２−１のＮＯ）の処理は、第１の実施の形態例と同様である。そして、充放電状態制御部１３５は、作成された充放電制御計画ＰＬ、または、修正された充放電制御計画ＰＬに基づいて、各ＰＣの蓄電池を制御する（Ｓ６）。
【００９７】
続いて、図９のフローチャート図における充放電制御計画ＰＬの作成処理（Ｓ７）をより詳細に説明する。
【００９８】
図１０は、第２の実施の形態例における蓄電池の充放電制御装置１００の処理をより詳細に説明するフローチャート図である。工程Ｓ１〜Ｓ６の各処理は、第１の実施の形態例と同様である。
【００９９】
充放電制御計画ＰＬの作成時刻に達すると（Ｓ２−１のＹＥＳ）、計画外使用検出部１３２は、計画外使用を検出したノートＰＣ３０の計画外使用履歴ＩＬから、開始時刻と終了時刻の間に現在時刻を含む計画外使用エントリを抽出する（Ｓ７−１）。この工程は、第１の実施の形態例における工程Ｓ３−２の処理に対応する。抽出した計画外使用エントリがある場合（Ｓ７−２のＹＥＳ）、計画外使用が現在進行中であり、推定した計画外使用の情報に基づいて修正した後の充放電制御計画ＰＬに基づいてノートＰＣ３０の蓄電池を制御していることを示す。したがって、推定部１３６は、充放電制御計画ＰＬに修正済みの計画外使用の継続時間及び充放電状態を、現在進行中の計画外使用の継続時間及び充放電状態である旨、推定する（Ｓ７−３）。
【０１００】
続いて、充放電制御計画作成部１３３は、第１の実施の形態例の工程Ｓ２−２と同様にして、電力需要予測、各ノートＰＣ３０の仕様、現在の充放電状態とバッテリ残量を考慮して、ピーク電力が小さくなるように、充放電制御計画ＰＬを作成する（Ｓ７−４）。ただし、充放電制御計画作成部１３３は、推定した計画外使用の継続時間及び充放電状態を満たすように充放電制御計画ＰＬを作成する。
【０１０１】
続いて、図９、図１０のフローチャート図で説明した、第２の実施の形態例における蓄電池の充放電制御装置１００の処理を具体例に基づいて説明する。
【０１０２】
［具体例］
図１１は、第２の実施の形態例における蓄電池の充放電制御装置１００の処理の具体例を説明する図である。具体例では、２０１３/１/３１ １０：００に充放電制御計画ＰＬを修正した後、２０１３/１/３１ １０：３０に充放電制御計画ＰＬを作成する場合を説明する。図１１は、取得したＰＣ１の充放電状態ＳＧ２、ＰＣ１の計画外使用履歴ＩＬ２、充放電制御計画ＰＬ２ａ、ＰＬ２ｂ、推定した計画外使用の情報ＳＰ２の一例を有する。充放電制御計画ＰＬ２ａは１０：００に修正済みの充放電制御計画ＰＬ、充放電制御計画ＰＬ２ｂは１０：３０に作成した充放電制御計画ＰＬを示す。
【０１０３】
第１の実施の形態例にて前述したとおり、１０：００に、計画外使用検出部１３２は、計画外使用を検出し、ＰＣ１の計画外使用エントリ「２０１３/１/３１ １０:００〜１１：３０」ｅ２−１を作成する。したがって、１０：３０に、計画外使用検出部１３２は、ＰＣ１の計画外使用履歴ＩＬ２から、計画外使用エントリ「２０１３/１/３１ １０:００〜１１：３０」ｅ２−１を抽出する（Ｓ７−１）。そして、充放電制御計画作成部１３３は、図１１の推定情報ＳＰ２に示すように、１０：００に推定した計画外使用の継続時間及び充放電状態に基づいて、ＰＣ１が１０：３０〜１１：３０に放電状態ＢＡとなることを推定する（Ｓ７−３）。そして、充放電制御計画作成部１３３は、ＰＣ１の１０:３０〜１１:３０に放電状態ＢＡを指定し、ピーク電力が小さくなる充放電制御計画ＰＬ２ｂを作成する（Ｓ７−４）。
【０１０４】
なお、具体例において、前述したとおり、充放電制御計画作成部１３３は、ＰＣ１が計画外使用により１０：３０〜１１：３０に放電状態ＢＡとなることを推定する（Ｓ７−３）。したがってＰＣ１の充放電制御計画ＰＬ２ｂの１０：３０〜１１：３０は計画外使用が進行中である時間帯であるため、仮に他のノートＰＣ３０が１０:３０〜１１:３０に計画外使用を検出した場合（Ｓ３−１のＮＯ）、充放電制御計画修正部１３７は、他のノートＰＣ３０の計画外使用の影響を相殺するノートＰＣとしてＰＣ１を選択しない（Ｓ５−１）。充放電制御計画修正部１３７は、計画外使用の影響を相殺するノートＰＣ３０の選択候補から、計画外使用を検出したノートＰＣ３０を除外することによって、確実に影響を相殺可能なノートＰＣ３０を選択し、ピーク電力を削減することができる。
【０１０５】
以上のように、第２の実施の形態例における蓄電池の充放電制御装置１００は、さらに、複数の蓄電池の充放電制御計画ＰＬを、複数の蓄電池の充放電制御計画に基づいた場合のピーク電力が小さくなるように作成する制御計画作成手段と、を有する。そして、制御計画作成手段は、第１の蓄電池の充放電制御計画が、推定した第１の計画外使用の継続時間に推定した充放電状態を有するように、充放電制御計画を作成する。
【０１０６】
したがって、第２の実施の形態例における蓄電池の充放電制御装置１００は、充放電制御計画ＰＬの作成前に、計画外使用によって生じる可能性が高い充放電状態を予め推定し、推定した充放電状態を考慮した充放電制御計画ＰＬを作成する。これにより、蓄電池の充放電制御装置１００は、充放電制御計画ＰＬの実現性を高め、ピーク電力をより確実に抑えることができる。
【０１０７】
また、第２の実施の形態例において、制御計画修正手段における第２の蓄電池は、第１の計画外使用の継続時間に計画外使用が発生していない蓄電池である。つまり、蓄電池の充放電制御装置１００は、充放電制御計画ＰＬの作成時に検出された計画外使用を有する蓄電池を、新たに発生した計画外使用による影響を相殺する蓄電池の対象から除外する。したがって、蓄電池の充放電制御装置１００は、充放電制御計画ＰＬの修正時に、確実に、影響を相殺可能な蓄電池を選択し、ピーク電力を削減することができる。
【０１０８】
なお、第２の実施の形態例の蓄電池の充放電制御装置１００において、制御計画作成手段は、第１の蓄電池が計画外使用の推定情報を考慮せずに作成した充放電制御計画ＰＬにおいて、推定した第１の計画外使用の継続時間に推定した充放電状態が発生した場合に、ピーク電力が増加しない場合、計画外使用の推定情報を考慮した充放電制御計画ＰＬを作成しなくてもよい。したがって、蓄電池の充放電制御装置１００は、計画外使用によりピーク電力が増加しない場合に、計画外の推定情報を考慮せず、より柔軟に充放電制御計画ＰＬを作成することができる。
【０１０９】
［第３の実施の形態例］
第１の実施の形態例における蓄電池の充放電制御装置１００は、計画外使用を検出した場合に、推定した計画外使用の情報に基づいて、充放電制御計画ＰＬを修正する。これに対し、第３の実施の形態例における蓄電池の充放電制御装置１００は、所定時間経過後に発生し得る計画外使用を検知し、推定した計画外使用の情報に基づいて充放電制御計画ＰＬを修正する。これにより、蓄電池の充放電制御装置１００は、計画外使用が発生する前に、先の時間帯に発生し得る計画外使用を推定し、ノートＰＣ３０の充放電制御計画ＰＬを修正しておくことができる。
【０１１０】
第３の実施の形態例における蓄電池の充放電制御装置１００の構成及びブロック図は、第１の実施の形態例と同様である。
【０１１１】
［フローチャート図］
図１２は、第３の実施の形態例における蓄電池の充放電制御装置１００の処理の流れを説明するフローチャート図である。工程Ｓ１〜工程Ｓ６の処理は、第１の実施の形態例と同様である。第３の実施の形態例における計画外使用検出部１３２は、計画外使用を検出しなかった場合に（Ｓ３−１のＹＥＳ）、所定時間経過後に計画外使用が発生し得るか否かを判定する。第１の実施の形態例で説明したとおり、取得した充放電状態と充放電制御計画ＰＬに指定される充放電状態とが同一か否かを比較し（Ｓ３−１）、同一の場合に（Ｓ３−１のＹＥＳ）、計画外使用検出部１３２は計画外使用を検出しない。そして、計画外使用検出部１３２は、終了時刻が未設定の計画外使用エントリがあれば（Ｓ３−３のＹＥＳ）、その終了時刻に現在時刻を設定する（Ｓ３−４）。
【０１１２】
次に、第３の実施の形態例における計画外使用検出部１３２及び推定部１３６は、所定時間経過後に発生し得る計画外使用を検出し、検出した計画外使用の継続時間及び充放電状態を推定する（Ｓ９）。そして、充放電制御計画修正部１３７は、所定時間経過後に発生し得る計画外使用を検出したノートＰＣ３０の充放電制御計画ＰＬを、推定した計画外使用の継続時間に、推定した充放電状態を有するように修正すると共に、計画外使用による消費電力への影響を相殺可能なノートＰＣ３０の充放電制御計画ＰＬを修正する（Ｓ５）。
【０１１３】
図１３は、第３の実施の形態例における蓄電池の充放電制御装置１００の処理をより詳細に説明するフローチャート図である。図１３のフローチャート図では、図１２のフローチャート図における工程Ｓ９の処理をより詳細に説明する。
【０１１４】
具体的に、工程Ｓ９において、まず、計画外使用検出部１３２は、計画外使用履歴ＩＬから、計画外使用エントリの開始時刻前の所定時間の充放電状態が、取得した現在の充放電状態と同一の計画外使用エントリを抽出する（Ｓ９−１）。このとき、計画外使用検出部１３２は、充放電状態履歴ＳＴを参照して、計画外使用エントリの開始時刻前の所定時間の充放電状態を取得する。計画外使用検出部１３２は、抽出される計画外使用エントリがある場合（Ｓ９−２のＹＥＳ）、所定時間経過後に計画外使用が発生し得る旨、判定する。一方、抽出される計画外使用エントリがない場合（Ｓ９−２のＮＯ）、計画外使用検出部１３２は、所定時間経過後に計画外使用が発生しない旨、判定する。なお、計画外使用検出部１３２は、一定数以上の計画外使用エントリが抽出された場合にのみ（Ｓ９−２のＹＥＳ）、所定時間経過後に計画外使用が発生すると判定してもよい。これにより、計画外使用検出部１３２は、より高精度に、計画外使用が発生するか否かを判定することができる。
【０１１５】
抽出した計画外使用エントリがある場合（Ｓ９−２のＹＥＳ）、推定部１３６は、抽出した所定時間経過後の計画外使用エントリに基づいて、所定時間経過後に発生する計画外使用の継続時間及び充放電状態を推定する。まず、推定部１３６は、計画外使用の開始時刻を、現在時刻から所定時間経過後の時刻に設定する（Ｓ９−３）。そして、推定部１３６は、第１の実施の形態例と同様にして、例えば、抽出した計画外使用エントリに基づいて、計画外使用が最も長く継続する場合を想定し継続時間を推定する（Ｓ９−４）。また、推定部１３６は、第１の実施の形態例と同様にして、抽出した計画外使用エントリから、開始時刻から終了時刻までの各充放電状態を取得し、開始時刻から同時間経過後の充放電状態の中で最も多い充放電状態を、所定時間経過後に発生する計画外使用の開始時刻から同時間経過後の充放電状態として推定する（Ｓ９−５）。
【０１１６】
そして、充放電制御計画修正部１３７は、所定時間経過後に発生する計画外使用が検出されたノートＰＣ３０の充放電制御計画ＰＬを、推定した継続時間に推定した充放電状態を有するように修正すると共に、別のノートＰＣ３０の充放電制御計画ＰＬを、計画外使用が検出されたノートＰＣ３０の充放電制御計画ＰＬの修正による消費電力の増減を相殺するように修正する（Ｓ５）。
【０１１７】
なお、充放電制御計画修正部１３７は、第１の実施の形態例と同様にして、充放電制御計画ＰＬにおいて推定通りに計画外使用が発生した場合のピーク電力が、充放電制御計画ＰＬを修正しない場合のピーク電力を超えない場合、充放電制御計画ＰＬを修正しなくてもよい。充放電制御計画ＰＬの再作成が不要になることにより、充放電制御計画修正部１３７は、負荷を軽減することができる。
【０１１８】
なお、図１２、図１３のフローチャート図では、蓄電池の充放電制御装置１００が、推定した所定時間経過後の計画外使用に基づいて、計画外使用が発生するノートＰＣ３０を含む一部の充放電制御計画ＰＬを修正する場合を説明した。ただし、第２の実施の形態例と同様にして、蓄電池の充放電制御装置１００は、推定した所定時間経過後の計画外使用に基づいて、全てのノートＰＣ３０の充放電制御計画ＰＬを作成してもよい。
【０１１９】
続いて、図１２、図１３のフローチャート図で説明した、第３の実施の形態例における蓄電池の充放電制御装置１００の処理を具体例に基づいて説明する。具体例における所定時間は、例えば、３０分である。
【０１２０】
［具体例］
図１４は、第３の実施の形態例における蓄電池の充放電制御装置１００の処理の具体例を説明する図である。具体例において、蓄電池の充放電制御装置１００は、２０１３/１/３１ ９：３０に、１０：００から発生するＰＣ１の計画外使用を推定する場合を例示する。図１４は、取得したＰＣ１の充放電状態ＳＧ３、充放電制御計画ＰＬ３ａ、ＰＣ１の計画外使用履歴ＩＬ３、ＰＣ１の充放電状態履歴ＳＴ３、推定情報ＳＰ３の一例を有する。
【０１２１】
図１４の充放電状態ＳＧ３及び充放電制御計画ＰＬ３ａによると、９：３０の時点におけるＰＣ１の取得した充放電状態と充放電制御計画ＰＬ３ａに指定される充放電状態はともに通電状態ＡＣである。したがって、計画外使用検出部１３２は、計画外使用を検出しない（Ｓ３−１のＹＥＳ）。そして、計画外使用検出部１３２は、図１４の計画外使用履歴ＩＬ３から、取得した３０分間（具体例では、９：３０〜１０：００）の充放電状態と、開始時刻前の３０分間の充放電状態が同一の計画外使用エントリを抽出する（Ｓ９−１）。図１４の充放電状態ＳＧ３によると、９：３０〜１０：００に取得したＰＣ１の充放電状態は通電状態ＡＣである。したがって、計画外使用検出部１３２は、計画外使用履歴ＩＬ３から、開始時刻前の３０分間の充放電状態が通電状態ＡＣの計画外使用エントリ「２０１３/１/２７ １０:３０〜１１:３０」、「２０１３/１/２８ １０:３０〜１２:００」、「２０１３/１/２９ １０:００〜１１:３０」、「２０１３/１/３０ １０:００〜１１:３０」ｅ３−１を抽出する（Ｓ９−２のＹＥＳ）。
【０１２２】
具体例において、抽出する計画外使用エントリｅ３−１が存在するため（Ｓ９−２のＹＥＳ）、計画外使用検出部１３２は、３０分後に計画外使用が発生し得る旨、判定する。したがって、推定部１３６は、計画外使用の開始時刻を、３０分後の１０：００に設定する（Ｓ９−３）。続いて、推定部１３６は、抽出した計画外使用エントリｅ３−１の各継続時間のうち、最長の継続時間１．５時間を、計画外使用の継続時間と推定する（Ｓ９−４）。このため、１０：００から発生する計画外使用の終了時刻は２０１３/１/３１ １１:３０となる。また、推定部１３６は、図１４の充放電状態履歴ＳＴ３を参照して、抽出した計画外使用エントリｅ３−１の継続時間における充放電状態を取得し、最も多い放電状態ＢＡを計画外使用の充放電状態と推定する（Ｓ９−５）。したがって、推定部１３６は、推定情報ＳＰ３に示すように、ＰＣ１が２０１３/１/３１ １０：００〜１１：３０の間、放電状態ＢＡとなることを推定する。
【０１２３】
そして、充放電制御計画修正部１３７は、ＰＣ１の充放電制御計画ＰＬの２０１３/１/３１ １０：００〜１１：３０を放電状態ＢＡに修正すると共に、別のノートＰＣ３０の充放電制御計画ＰＬを、ＰＣ１の修正による消費電力の増減を相殺するように修正する（Ｓ５）。
【０１２４】
なお、第１の実施の形態例と同様にして、計画外使用検出部１３２は、工程Ｓ９−１において抽出する対象の計画外使用エントリｅ３−１を、一定期間内の計画外使用エントリに限定してもよいし、検出した計画外使用と曜日や時間帯（午前、午後等）が同一の計画外使用エントリに限定してもよい。または、計画外使用検出部１３２は、検出した計画外使用と開始時刻が同一の計画外使用エントリのみを抽出してもよい。例えば、具体例において、計画外使用検出部１３２は、検出した計画外使用と開始時刻が同一の計画外使用エントリ「２０１３/１/２９ １０:００〜１１:３０」、「２０１３/１/３０ １０:００〜１１:３０」を抽出する。
【０１２５】
計画外使用検出部１３２は、抽出する対象の計画外使用エントリを絞り込むことによって、所定時間経過後に発生する計画外使用と計画外使用の形態がより類似する計画外使用エントリを抽出することができる。したがって、計画外使用検出部１３２は、計画外使用の形態の類似度がより高い計画外使用エントリに基づいて、より高精度に、所定時間経過後に計画外使用が発生するか否かを判定可能になると共に、計画外使用の継続時間及び充放電状態をより高精度に推定することができる。
【０１２６】
なお、具体例では、所定時間が３０分の場合を例示したが、この例に限定されるものではない。例えば、所定時間が６０分の場合、計画外使用検出部１３２は、９：００〜１０：００に取得した充放電状態（具体例では、通電状態ＡＣ）と、開始時刻前の６０分間の充放電状態が同一の計画外使用エントリがある場合に、６０分後に計画外使用が発生する可能性がある旨、判定する。
【０１２７】
以上のように、第３の実施の形態例における蓄電池の充放電制御装置１００は、計画外使用検出手段は、さらに、取得した第１の蓄電池の所定時間の充放電状態と、計画外使用の開始時刻前の所定時間の充放電状態が同一である第１の蓄電池の計画外使用エントリに基づいて、所定時間経過後に発生する第１の計画外使用を検出する。
【０１２８】
したがって、第３の実施の形態例における蓄電池の充放電制御装置１００は、計画外使用履歴ＩＬに基づいて、先の時間帯に計画外使用が発生するか否かを判定することができる。また、蓄電池の充放電制御装置１００は、先の時間帯に発生し得る計画外使用の継続時間及び充放電状態を推定することができ、予め、一部の蓄電池の充放電制御計画ＰＬを修正しておくことができる。または、蓄電池の充放電制御装置１００は、先の時間帯に発生し得る計画外使用の推定情報に基づいて、全ての蓄電池の充放電制御計画ＰＬを作成することができる。したがって、蓄電池の充放電制御装置１００は、計画外使用が発生する前に、計画外使用の推定情報を考慮して充放電制御計画ＰＬを作成、修正することが可能になる。これにより、蓄電池の充放電制御装置１００は、計画外使用が発生する頻度を抑えることができ、充放電制御計画ＰＬに基づいてピーク電力をより確実に抑えることができる。
【０１２９】
[第４の実施の形態例]
第４の実施の形態例における蓄電池の充放電制御装置１００は、計画外使用がノートＰＣ３０を利用するユーザの予定に対応して発生する可能性があることに注目し、ユーザの予定に基づいて、発生し得る計画外使用を検出し、充放電制御計画ＰＬを修正する。例えば、出張などの外出が発生する予定の時間帯においては、ノートＰＣ３０はＡＣ電源を利用できず、放電状態ＢＡになる可能性が高いため、計画外使用が発生し易い。一方、外出が発生しない予定の時間帯は、ＡＣ電源を利用可能であるため、ノートＰＣ３０は計画外使用が発生しにくい。これにより、蓄電池の充放電制御装置１００は、計画外使用が発生する前に、予定に対応して発生し得る計画外使用を推定し、ノートＰＣ３０の充放電制御計画ＰＬを修正しておくことができる。
【０１３０】
第４の実施の形態例における蓄電池の充放電制御装置１００の構成及びブロック図は、第１の実施の形態例と同様である。ただし、第４の実施の形態例において、蓄電池の充放電制御装置１００の制御部１３０は、さらに、予定取得部１３８を有する。続いて、第４の実施の形態例における蓄電池の充放電制御装置１００の処理の概要を説明する。
【０１３１】
［処理の概要］
図１５は、第４の実施の形態例における蓄電池の充放電制御装置１００の処理の概要を表す図である。図１５の状態取得部１３１、充放電制御計画作成部１３３、充放電制御計画保存部１３４、充放電制御計画修正部１３７、充放電状態制御部１３５の処理の概要は、第１の実施の形態例における図５の説明と同様である。したがって、予定取得部１３８、計画外使用検出部１３２、推定部１３６の処理の概要を説明する。
【０１３２】
第４の実施の形態例において、予定取得部１３８はノートＰＣ３０のユーザの予定情報ＰＮを取得する。予定取得部１３８は、例えば、ユーザが使用する予定管理システムから、ユーザの予定情報ＰＮを取得する。ただし、この例に限定されるものではない。例えば、蓄電池の充放電制御装置１００が予定管理機能を有し、予定取得部１３８は、予定管理機能から予定情報ＰＮを取得してもよい。または、予定取得部１３８は、各ノートＰＣ３０上で動作する予定管理アプリケーションによって作成されノートＰＣ３０上に保存された予定情報ＰＮを取得してもよい。または、予定取得部１３８は、予定管理システムやノートＰＣ３０に予定情報ＰＮの送信を要求してもよいし、予定管理システムやノートＰＣ３０が定期的に、蓄電池の充放電制御装置１００の予定取得部１３８に予定情報ＰＮを送信してもよい。
【０１３３】
また、第４の実施の形態例における計画外使用検出部１３２は、取得した予定情報ＰＮから、充放電制御計画ＰＬの作成対象の期間内の予定を選択し、選択した予定と識別情報が同一の予定の履歴を抽出する。そして、計画外使用検出部１３２は、計画外使用履歴ＩＬから、抽出した予定の履歴に対応する計画外使用エントリを検出する。また、推定部１３６は、予定の履歴に対応する計画外使用エントリに基づいて、計画外使用の継続時間及び充放電状態を推定する。
【０１３４】
［フローチャート図］
図１６は、第４の実施の形態例における蓄電池の充放電制御装置１００の処理の流れを説明するフローチャート図である。第４の実施の形態例における処理のフローチャート図は、図１２の第３の実施の形態例におけるフローチャート図と、工程Ｓ９を除いて同様である。即ち、第４の実施の形態例における蓄電池の充放電制御装置１００は、図１２の工程Ｓ９の代わりに、工程Ｓ１０の処理を行う。
【０１３５】
第４の実施の形態例における計画外使用検出部１３２及び推定部１３６は、計画外使用を検出しなかった場合に（Ｓ３−１のＹＥＳ）、予定に対応して発生する計画外使用を検出し、検出した計画外使用の継続時間及び充放電状態を推定する（Ｓ１０）。そして、充放電制御計画修正部１３７は、計画外使用を検出したノートＰＣ３０の充放電制御計画ＰＬを、推定した継続時間に推定した充放電状態を有するように修正すると共に、計画外使用による消費電力への影響を相殺可能なノートＰＣ３０の充放電制御計画ＰＬを修正する（Ｓ５）。
【０１３６】
図１７は、第４の実施の形態例における蓄電池の充放電制御装置１００の処理をより詳細に説明するフローチャート図である。図１７のフローチャート図では、図１６のフローチャート図における工程Ｓ１０の処理を、より詳細に説明する。
【０１３７】
具体的に、工程Ｓ１０において、まず、計画外使用検出部１３２は、予定情報ＰＮから、充放電制御計画ＰＬを作成済みの期間（この例では、当日）における、対象のノートＰＣ３０のユーザの予定を抽出する（Ｓ１０−１）。次に、計画外使用検出部１３２は、抽出した予定から、１つの予定を選択し（Ｓ１０−２）、予定情報ＰＮから、選択した予定と識別情報が同一の１つまたは複数の予定の履歴を抽出する（Ｓ１０−３）。識別情報とは、予定の内容や種別を示す情報であって、例えば予定の名称である。抽出した予定の履歴は、選択した予定と同一の状態が発生し易い予定を示す。
【０１３８】
そして、計画外使用検出部１３２は、計画外使用履歴ＩＬから、抽出した１つまたは複数の予定の履歴と、開始時刻が同一の計画外使用エントリを抽出する（Ｓ１０−４）。抽出した計画外使用エントリは、選択した予定と、同一の状態が発生し易い予定の履歴の時間帯に発生した計画外使用エントリを示す。計画外使用検出部１３２は、抽出した計画外使用エントリに基づいて、選択した予定に対応して計画外使用が発生するか否かを判定する。たとえば、計画外使用検出部１３２は、抽出された計画外使用エントリがある場合（Ｓ１０−５のＹＥＳ）、予定に対応して計画外使用が発生する旨、判定する。一方、抽出される計画外使用エントリがない場合（Ｓ１０−５のＮＯ）、計画外使用検出部１３２は、予定に対応して計画外使用が発生しない旨、判定する。
【０１３９】
なお、計画外使用検出部１３２は、一定数以上の計画外使用エントリが抽出された場合にのみ、または、予定の履歴に対応する一定の割合以上（例えば、８０％以上）の計画外使用エントリがある場合に、予定に対応して計画外使用が発生すると判定してもよい。これにより、計画外使用検出部１３２は、より高精度に、計画外使用が発生するか否かを判定することができる。
【０１４０】
抽出された計画外使用エントリに基づいて、計画外使用が発生すると判定した場合（Ｓ１０−５のＹＥＳ）、まず、推定部１３６は、予定の開始時刻を、計画外使用の開始時刻に設定する（Ｓ１０−６）。そして、推定部１３６は、抽出した計画外使用エントリに基づいて、選択した予定に対応して発生し得る計画外使用の継続時間及び充放電状態を推定する。推定部１３６は、第１の実施の形態例と同様にして、例えば、抽出した計画外使用エントリに基づいて、計画外使用が最も長く継続する場合を想定し継続時間を推定する（Ｓ１０−７）。なお、推定部１３６は、予定の時間帯を、継続時間として推定してもよい。また、推定部１３６は、第１の実施の形態例と同様にして、抽出した計画外使用エントリから、開始時刻から終了時刻までの各充放電状態を取得し、開始時刻から同時間経過後の充放電状態の中で最も多い充放電状態を、予定に対応して発生する計画外使用の開始時刻から同時間経過後の充放電状態として推定する（Ｓ１０−８）。
【０１４１】
そして、充放電制御計画修正部１３７は、予定に対応して発生する計画外使用が検出されたノートＰＣ３０の充放電制御計画ＰＬを、推定した継続時間に推定した充放電状態を有するように修正すると共に、別のノートＰＣ３０の充放電制御計画ＰＬを、計画外使用が検出されたノートＰＣ３０の充放電制御計画ＰＬの修正による消費電力の増減を相殺するように修正する（Ｓ５）。
【０１４２】
なお、充放電制御計画修正部１３７は、第１の実施の形態例と同様にして、充放電制御計画ＰＬにおいて推定通りに計画外使用が発生した場合のピーク電力が、充放電制御計画ＰＬを修正しない場合のピーク電力を超えない場合、充放電制御計画ＰＬを修正しなくてもよい。充放電制御計画ＰＬの再作成が不要になることにより、充放電制御計画修正部１３７は、負荷を軽減することができる。
【０１４３】
続いて、図１６、図１７のフローチャート図で説明した、第４の実施の形態例における蓄電池の充放電制御装置１００の処理を具体例に基づいて説明する。
【０１４４】
［具体例］
図１８は、第４の実施の形態例における蓄電池の充放電制御装置１００の処理の具体例を説明する図である。具体例において、蓄電池の充放電制御装置１００は、２０１３/１/３１ ９：３０に、ＰＣ１の計画外使用を推定する場合を例示する。図１８は、取得したＰＣ１の充放電状態ＳＧ４、充放電制御計画ＰＬ４ａ、ＰＣ１を利用するＵｓｅｒ１の２０１３/１/３１の予定表ＳＣ４、Ｕｓｅｒ１の予定の履歴ＳＣＲ４、ＰＣ１の計画外使用履歴ＩＬ４、ＰＣ１の充放電状態履歴ＳＴ４、推定情報ＳＰ４の一例を有する。
【０１４５】
図１８の充放電状態ＳＧ４及び充放電制御計画ＰＬ４ａによると、９：３０の時点におけるＰＣ１の取得した充放電状態と充放電制御計画ＰＬ４ａに指定される充放電状態はともに通電状態ＡＣである。したがって、計画外使用検出部１３２は、計画外使用を検出しない（Ｓ３−１のＹＥＳ）。そして、計画外使用検出部１３２は、予定情報ＰＮから、充放電制御計画ＰＬを作成済みの期間（具体例では、２０１３/１/３１）における、対象とするノートＰＣ３０（具体例では、ＰＣ１）を利用するユーザ（具体例では、Ｕｓｅｒ１）の予定表ＳＣ４を抽出する（Ｓ１０−１）。続いて、計画外使用検出部１３２は、図１８のＵｓｅｒ１の２０１３/１/３１の予定表ＳＣ４から、例えば、予定「１０:３０〜１２:００：Ａ社出張」を選択する（Ｓ１０−２）。また、図１８のＵｓｅｒ１の予定の履歴ＳＣＲ４によると、「Ａ社出張」という名称の予定は、３つ存在する。したがって、計画外使用検出部１３２は、Ｕｓｅｒ１の予定の履歴ＳＣＲ４から、３つの予定の履歴「２０１３/１/２７ １０:３０〜１１:３０」、「２０１３/１/２８ １０:３０〜１２:００」、「２０１３/１/３０ １０:００〜１１:３０」ｒ４−１を抽出する（Ｓ１０−３）。
【０１４６】
次に、計画外使用検出部１３２は、計画外使用履歴ＩＬ４から、抽出した３つの予定の履歴ｒ４−１と、同一の開始時刻を有する計画外使用エントリ「２０１３/１/２７ １０:３０〜１１:３０」、「２０１３/１/２８ １０:３０〜１２:００」、「２０１３/１/３０ １０:００〜１１:３０」ｅ４−１を抽出する（Ｓ１０−４）。具体例において、例えば、抽出する計画外使用エントリｅ４−１が存在するため（Ｓ１０−５のＹＥＳ）、計画外使用検出部１３２は、予定に対応して計画外使用が発生し得る旨、判定する。推定部１３６は、計画外使用の開始時刻に、選択した予定の開始時刻１０：３０を設定する（Ｓ１０−６）。
【０１４７】
続いて、推定部１３６は、抽出した計画外使用エントリｅ４−１の各継続時間のうち、最長の継続時間１．５時間を、計画外使用の継続時間と推定する（Ｓ１０−７）。このため、１０：３０から発生する計画外使用の終了時刻は２０１３/１/３１ １２:００となる。また、推定部１３６は、図１８の充放電状態履歴ＳＴ４を参照して、抽出した計画外使用エントリｅ４−１の継続時間における充放電状態を取得し、最も多い放電状態ＢＡを計画外使用の充放電状態と推定する（Ｓ１０−８）。したがって、推定部１３６は、推定情報ＳＰ４に示すように、ＰＣ１が２０１３/１/３１ １０：３０〜１２：００の間、放電状態ＢＡとなることを推定する。
【０１４８】
そして、充放電制御計画修正部１３７は、ＰＣ１の充放電制御計画ＰＬの２０１３/１/３１ １０：３０〜１２：００を放電状態ＢＡに修正すると共に、第１の実施の形態例と同様にして、別のノートＰＣ３０の充放電制御計画ＰＬを、ＰＣ１の修正による消費電力の増減を相殺するように修正する（Ｓ５）。
【０１４９】
なお、第１の実施の形態例と同様にして、計画外使用検出部１３２は、工程Ｓ１０−４において、抽出する対象の計画外使用エントリｅ４−１を、一定期間内の計画外使用エントリに限定してもよいし、選択した予定と曜日や時間帯（午前、午後等）が同一の計画外使用エントリに限定してもよい。または、計画外使用検出部１３２は、選択した予定と開始時刻が同一の計画外使用エントリのみを抽出してもよい。例えば、具体例において、計画外使用検出部１３２は、選択した予定と開始時刻が同一の計画外使用エントリ「２０１３/１/２７ １０:３０〜１１:３０」、「２０１３/１/２８ １０:３０〜１２:００」を抽出する。また、計画外使用検出部１３２は、さらに、選択した予定と、開始時刻に加えて終了時刻が同一の計画外使用エントリのみを抽出してもよい。例えば、具体例において、計画外使用検出部１３２は、開始時刻及び終了時刻が選択した予定と同一の計画外使用エントリ「２０１３/１/２８ １０:３０〜１２:００」のみを抽出する。
【０１５０】
計画外使用検出部１３２は、抽出する対象の計画外使用エントリを絞り込むことによって、予定に対応して発生し得る計画外使用と、計画外使用の形態がより類似する計画外使用エントリを抽出することができる。したがって、計画外使用検出部１３２は、計画外使用の形態の類似度がより高い計画外使用エントリに基づいて、より高精度に、計画外使用が発生する予定を検出可能になると共に、計画外使用の継続時間及び充放電状態をより高精度に推定することができる。
【０１５１】
以上のように、第４の実施の形態例における蓄電池の充放電制御装置１００は、さらに、第１の蓄電池のユーザの予定を取得する予定取得手段を有する。そして、蓄電池の充放電制御装置１００における計画外使用検出手段は、さらに、第１の予定と識別情報が同一の１つまたは複数の第２の予定の履歴を抽出し、抽出した第２の予定の履歴に対応する計画外使用エントリに基づいて第１の予定に対応して発生する第１の計画外使用を検出する。
【０１５２】
したがって、第４の実施の形態例における蓄電池の充放電制御装置１００は、予定に対応して計画外使用が発生することに注目して、予定の履歴に基づいて、予定に対応して計画外使用が発生するか否かを判定することができる。また、蓄電池の充放電制御装置１００は、予定に対応して発生し得る計画外使用の継続時間及び充放電状態を推定することにより、予め、一部の蓄電池の充放電制御計画ＰＬを修正しておくことができる。これにより、蓄電池の充放電制御装置１００は、充放電制御計画ＰＬの実現性を高め、蓄電池の本来の導入目的と相反することなく、ピーク電力をより確実に抑えることができる。
【０１５３】
また、蓄電池の充放電制御装置１００は、予定に対応して計画外使用が発生しないと判定した時間帯については、充放電制御計画ＰＬを修正しない。したがって、蓄電池の充放電制御装置１００は、充放電制御計画ＰＬの修正を省略することによって、処理の負荷を軽減することができる。
【０１５４】
なお、第４の実施の形態例においても、蓄電池の充放電制御装置１００の充放電制御計画修正手段は、第１の蓄電池の充放電制御計画ＰＬにおいて、推定通りに計画外使用が発生した場合のピーク電力が、充放電制御計画ＰＬを修正しない場合のピーク電力を超えない場合、充放電制御計画ＰＬを修正しなくてもよい。即ち、蓄電池の充放電制御装置１００は、ピーク電力に影響が生じない場合、予定に対応して発生する計画外使用を検出した場合であっても、充放電制御計画ＰＬを修正しなくてよい。蓄電池の充放電制御装置１００は、充放電制御計画ＰＬの修正を省略することによって、処理の負荷を軽減することができる。
【０１５５】
なお、蓄電池の充放電制御装置１００は、予め、予定に対応して発生し得る計画外使用の継続時間及び充放電状態を推定し、全てのノートＰＣ３０の充放電制御計画ＰＬを作成してもよい。これにより、蓄電池の充放電制御装置１００は、予定に対応して発生し得る計画外使用を予め考慮した充放電制御計画ＰＬを作成することができる。
【０１５６】
図１９は、第４の実施の形態例の変形例における蓄電池の充放電制御装置１００の処理を説明するフローチャート図である。図１９の例において、充放電制御計画作成部１３３は、充放電制御計画ＰＬの作成時刻に達した場合に（Ｓ２−１のＹＥＳ）、充放電制御計画ＰＬの作成対象の期間内の予定に対応して、計画外使用が発生し得るか否かを判定し、発生し得る計画外使用の継続時間及び充放電状態を推定する（Ｓ１０）。工程Ｓ１０の処理は前述したとおりである。そして、充放電制御計画作成部１３３は、検出済みの計画外使用の推定情報を有し、電力需要予測、各ノートＰＣ３０の仕様、現在の充放電状態とバッテリ残量を考慮して、ピーク電力が小さくなるように、充放電制御計画ＰＬを作成する（Ｓ２−２）。
【０１５７】
即ち、蓄電池の充放電制御装置１００は、充放電制御計画ＰＬの作成前に、予定に対応して発生し得る計画外使用の継続時間及び充放電状態を予め推定し、推定した充放電状態を考慮した充放電制御計画ＰＬを作成する。これにより、蓄電池の充放電制御装置１００は、充放電制御計画ＰＬの実現性を高め、ピーク電力をより確実に抑えることができる。
【０１５８】
［第４の実施の形態例の変形例１］
なお、充放電制御計画ＰＬに放電状態ＢＡが指定されていても、バッテリ残量が少ない場合、ノートＰＣ３０は通電状態ＡＣとなる。同様にして、充放電制御計画ＰＬに充電状態ＣＨが指定されていても、バッテリ残量が満量である場合、ノートＰＣ３０は通電状態ＡＣとなる。つまり、バッテリ残量に問題がなければ、充放電制御計画の通りにノートＰＣ３０を制御可能であるところ、バッテリ残量に起因して計画外使用が発生してしまうことがある。そこで、計画外使用が、予定ではなくバッテリ残量に起因して発生していた場合、蓄電池の充放電制御装置１００は、計画外使用が発生しなかったものとみなしてよい。
【０１５９】
即ち、蓄電池の充放電制御装置１００における計画外使用検出手段は、抽出した計画外使用エントリの継続時間における充放電状態が通電状態ＡＣである場合、第１の計画外使用を検出しない。つまり、蓄電池の充放電制御装置１００は、対象の予定と識別情報が同一の予定の履歴の時間帯における充放電状態が通電状態ＡＣである場合、充放電制御計画ＰＬに指定される充放電状態と異なっていても、バッテリ残量に起因して計画通りに制御できなかったと推定し、計画外使用が発生しなかったものとみなす。これにより、蓄電池の充放電制御装置１００は、予定に対応して、計画外使用が発生し得るか否かをより高精度に判定することができる。したがって、蓄電池の充放電制御装置１００は、計画外使用が発生しないと判定した場合は、充放電制御計画ＰＬを柔軟に作成することができ、また修正が不要になることにより、処理の負荷を軽減することができる。
【０１６０】
［第４の実施の形態例の変形例２］
なお、充放電制御計画ＰＬにいずれの充放電状態が指定されていても、ＡＣ電源がない環境においては、ノートＰＣ３０は放電状態ＢＡとなる。即ち、予定に対応してノートＰＣ３０が放電状態ＢＡとなる時間帯において、充放電制御計画ＰＬに放電状態ＢＡが指定される場合、計画外使用が検出されず、予定に対応する計画外使用エントリが作成されない。そのため、充放電制御計画ＰＬにおいて、次回の同一の予定の時間帯に放電状態ＢＡ以外の充放電状態が指定され、計画外使用が発生する場合がある。そこで、蓄電池の充放電制御装置１００は、選択した予定と識別情報が同一の予定の履歴に対応する計画外使用エントリが抽出されない場合であっても、予定の履歴の時間帯における充放電状態が全て放電状態ＢＡである場合、計画外使用を検出する。
【０１６１】
即ち、蓄電池の充放電制御装置１００における計画外使用検出手段は、計画外使用エントリが抽出されない場合であっても、第２の予定の履歴の時間帯における充放電状態が全て放電状態ＢＡである場合、第１の計画外使用を検出する。そして、推定手段は、第１の計画外使用の充放電状態を放電状態ＢＡとして推定する。これにより、蓄電池の充放電制御装置１００は、充放電制御計画ＰＬにおいて、放電状態ＢＡとなる可能性のある予定の時間帯に予め放電状態ＢＡを指定することができ、充放電制御計画ＰＬの実現性を高め、ピーク電力をより確実に抑えることができる。
【０１６２】
［第４の実施の形態例の変形例３］
なお、予定の時間帯にいずれの充放電状態が指定されても計画外使用が発生しない場合、予定の時間帯は、計画通りにノートＰＣ３０を制御可能な時間帯であることを示す。したがって、選択した予定と識別情報が同一の予定の履歴の時間帯における充放電状態が、全ての種類の充放電状態（放電状態ＢＡ、通電状態ＡＣ、充電状態ＣＨ）を含み、予定の履歴に対応する計画外使用エントリが抽出されない場合、蓄電池の充放電制御装置１００は、選択した予定の時間帯を、計画通りにノートＰＣ３０を制御可能な時間帯であるとみなしてもよい。
【０１６３】
具体的に、蓄電池の充放電制御装置１００は、充放電制御計画ＰＬにおいて、選択した予定と識別情報が同一の予定の履歴の時間帯に全ての種類の充放電状態が指定され、当該予定の履歴に対応する計画外使用エントリが抽出されない場合、選択した予定に対応して計画外使用が発生しない旨、判定する。
【０１６４】
即ち、蓄電池の充放電制御装置１００における計画外使用検出手段は、計画外使用エントリが抽出されず、第２の予定の履歴の時間帯における充放電状態が全ての種類の充放電状態を含む場合に、第１の計画外使用を検出しない。これにより、蓄電池の充放電制御装置１００は、予定に対応して、計画外使用が発生し得るか否かをより高精度に判定することができる。したがって、蓄電池の充放電制御装置１００は、計画外使用が発生しないと判定した場合は、充放電制御計画ＰＬを柔軟に作成することができ、また修正が不要になることにより、処理の負荷を軽減することができる。
【０１６５】
［第４の実施の形態例の変形例４］
さらに、蓄電池の充放電制御装置１００は、推定した充放電状態に基づいて、予定の時間帯が、計画通りにノートＰＣ３０を制御可能な時間帯であるか否かを検証してもよい。予定の時間帯が計画通りに制御可能である場合、充放電制御計画ＰＬの予定の時間帯に推定した充放電状態以外の充放電状態を指定しても、予定の時間帯に計画外使用は発生しない。
【０１６６】
例えば、蓄電池の充放電制御装置１００は、計画外使用を検出したノートＰＣ３０の充放電制御計画ＰＬにおいて、予定の時間帯に推定した充放電状態を有するように修正した場合のピーク電力を超えないように、予定の時間帯に推定した充放電状態以外の充放電状態を指定する。そして、蓄電池の充放電制御装置１００は、その後、予定の時間帯に計画外使用が発生しなかった場合、予定の時間帯がノートＰＣ３０を計画通りに制御可能であるとみなし、対応する計画外使用エントリを削除する。
【０１６７】
即ち、蓄電池の充放電制御装置１００における制御計画修正手段は、第１の蓄電池の充放電制御計画を、推定した第１の計画外使用の継続時間に推定した充放電状態を有するように修正する場合のピーク電力を超えないように、第１の蓄電池の充放電制御計画を第１の予定の時間帯に推定した充放電状態以外の充放電状態を有するように修正する。そして、計画外使用検出手段は、第１の予定の時間帯に計画外使用を検出しないとき、第１の計画外使用に対応する計画外使用エントリを削除し、第１の予定が第２の予定と識別情報が同一の予定として抽出された場合に、第２の予定の計画外使用を検出しない。
【０１６８】
これにより、蓄電池の充放電制御装置１００は、予定に対応して、計画外使用が発生し得るか否かをより高精度に判定することができる。したがって、蓄電池の充放電制御装置１００は、計画外使用が発生しないと判定した場合は、充放電制御計画ＰＬを柔軟に作成することができ、また修正が不要になることにより、処理の負荷を軽減することができる。
【０１６９】
［第５の実施の形態例］
第５の実施の形態例における蓄電池の充放電制御装置１００は、識別情報が同一の予定の充放電状態が同一の状態になり易いことに注目し、予定の履歴の時間帯における充放電状態に基づいて予定の時間帯の充放電状態を推定し、充放電制御計画ＰＬを作成する。これにより、蓄電池の充放電制御装置１００は、充放電制御計画ＰＬの実現性を高め、蓄電池の本来の導入目的と相反することなく、ピーク電力を確実に抑えることができる。
【０１７０】
第５の実施の形態例における蓄電池の充放電制御装置１００の構成及びブロック図は、第１の実施の形態例と同様である。ただし、第５の実施の形態例において、蓄電池の充放電制御装置１００の制御部１３０は、さらに、計画外使用検出部１３２及び充放電制御計画修正部１３７を有しておらず、予定取得部１３８を有する。続いて、第５の実施の形態例における蓄電池の充放電制御装置１００の処理の概要を説明する。
【０１７１】
［処理の概要］
図２０は、第５の実施の形態例における蓄電池の充放電制御装置１００の処理の概要を表す図である。図２０の状態取得部１３１、充放電制御計画作成部１３３、充放電制御計画保存部１３４、充放電状態制御部１３５、予定取得部１３８の処理の概要は、第４の実施の形態例における図１５の説明と同様である。したがって、推定部１３６の処理の概要を説明する。第５の実施の形態例における推定部１３６は、予定情報ＰＮを参照し、充放電制御計画ＰＬの作成対象の期間内の予定を選択し、選択した予定と識別情報が同一の予定の履歴を抽出する。そして、推定部１３６は、充放電状態履歴ＳＴを参照して、抽出した予定の履歴の時間帯における充放電状態を取得し、選択した予定の時間帯の充放電状態を推定する。
【０１７２】
［フローチャート図］
図２１は、第５の実施の形態例における蓄電池の充放電制御装置１００の処理の流れを説明するフローチャート図である。工程Ｓ１〜工程Ｓ６の処理は、第１の実施の形態例と同様である。第５の実施の形態例では、充放電制御計画ＰＬの作成時刻に達すると（Ｓ２−１のＹＥＳ）、予定取得部１３８はノートＰＣ３０のユーザの予定情報ＰＮを取得する。推定部１３６は、予定情報ＰＮに基づいて、予定の時間帯の充放電状態を推定する（Ｓ１１）。続いて、充放電制御計画作成部１３３は、予定の時間帯に推定した充放電状態を有し、電力需要予測、各ノートＰＣ３０の仕様、現在の充放電状態とバッテリ残量を考慮して、ピーク電力が小さくなるように、充放電制御計画ＰＬを作成する（Ｓ２−２）。そして、充放電状態制御部１３５は、作成された充放電制御計画ＰＬに基づいて各ＰＣの蓄電池を制御する（Ｓ６）。充放電制御計画ＰＬの作成時刻に達していない場合（Ｓ２−１のＮＯ）の処理は、第１の実施の形態例と同様である。
【０１７３】
図２２は、第５の実施の形態例における蓄電池の充放電制御装置１００の処理をより詳細に説明するフローチャート図である。図２２のフローチャート図では、図２１のフローチャート図における工程Ｓ１１の処理を、より詳細に説明する。
【０１７４】
具体的に、工程Ｓ１１において、第４の実施の形態例と同様にして、推定部１３６は、予定情報ＰＮから、充放電制御計画ＰＬを作成済みの期間（この例では、当日）における、対象のノートＰＣ３０のユーザの予定を抽出する（Ｓ１１−１）。次に、推定部１３６は、抽出した予定から、１つの予定を選択し（Ｓ１１−２）、予定情報ＰＮから、選択した予定と識別情報が同一の１つまたは複数の予定の履歴を抽出する（Ｓ１１−３）。識別情報とは、予定の内容や種別を示す情報であって、例えば予定の名称である。抽出した予定の履歴は、選択した予定と同一の充放電状態が発生し易い予定を示す。
【０１７５】
次に、推定部１３６は、抽出した予定の履歴すべてについて、充放電状態履歴ＳＴを参照して、予定の履歴の時間帯における充放電状態を抽出する（Ｓ１１−４）。そして、推定部１３６は、抽出した充放電状態の中で最も多い充放電状態を、予定の時間帯に発生し得る充放電状態と推定する（Ｓ１１−５）。そして、充放電制御計画作成部１３３は、予定の時間帯に推定した充放電状態を有し、電力需要予測、各ノートＰＣ３０の仕様、現在の充放電状態とバッテリ残量を考慮して、ピーク電力が小さくなるように、充放電制御計画ＰＬを作成する（Ｓ２−２）。なお、充放電制御計画作成部１３３は、予定の時間帯に推定した充放電状態への制御が可能になるように、予定以外の時間帯に充放電状態を指定する。
【０１７６】
なお、充放電制御計画ＰＬの作成処理（Ｓ２−２）において、充放電制御計画作成部１３３は、推定した予定の充放電状態を考慮せずに作成した充放電制御計画ＰＬにおいて、予定の時間帯に推定した充放電状態が発生した場合にピーク電力が増加しない場合、予定の時間帯に推定した充放電状態を指定しなくてもよい。これにより、充放電制御計画作成部１３３は、予定の時間帯に推定した充放電状態を指定する必要がないため、充放電制御計画ＰＬをより柔軟に作成できる。
【０１７７】
なお、通電状態ＡＣと充電状態ＣＨは、いずれもＡＣ電源が使用可能な環境における充放電状態であるため、推定した充放電状態が通電状態ＡＣまたは充電状態ＣＨである予定の時間帯は、ＡＣ電源を使用可能であることが推定可能である。したがって、予定の時間帯における充放電状態を通電状態ＡＣまたは充電状態ＣＨと推定した場合、蓄電池の充放電制御装置１００は、ピーク電力に問題がなければ、充放電制御計画ＰＬにおいて、予定の時間帯に通電状態ＡＣまたは充電状態ＣＨのいずれを指定してもよい。これにより、蓄電池の充放電制御装置１００は、計画通りに制御可能な充放電制御計画ＰＬをより柔軟に作成することができる。
【０１７８】
具体的に、充放電制御計画作成部１３３は、通電状態ＡＣ、充電状態ＣＨのいずれかの充放電状態と推定した予定の時間帯に、通電状態ＡＣまたは充電状態ＣＨいずれかの充放電状態を有し、電力需要予測、各ノートＰＣの仕様、現在の充放電状態とバッテリ残量を考慮して、ピーク電力が小さくなるように、充放電制御計画ＰＬを作成する。なお、蓄電池の充放電制御装置１００は、通電状態ＡＣ及び充電状態ＣＨを共通の充放電状態（例えば、給電状態ＡＣ/ＣＨ）として扱ってもよい。状態取得部１３１は、例えば、ノートＰＣの充放電状態が、通電状態ＡＣ、充電状態ＣＨのいずれかである場合に、充放電状態を給電状態ＡＣ/ＣＨとして取得する。また、充放電制御計画作成部１３３は、例えば、予定の時間帯の充放電状態を、給電状態ＡＣ/ＣＨとして推定する。
【０１７９】
即ち、蓄電池の充放電制御装置１００における制御計画作成手段は、推定した充放電状態が放電状態ＢＡである場合に第１の予定（選択した予定）の時間帯に放電状態ＢＡを有し、推定した充放電状態が放電状態ＢＡ以外の充放電状態（通電状態ＡＣまたは充電状態ＣＨ）である場合に、第１の予定の時間帯に通電状態ＡＣまたは充電状態ＣＨのいずれかを有する充放電制御計画ＰＬを作成する。これにより、蓄電池の充放電制御装置１００は、通電状態ＡＣと充電状態ＣＨを区別する必要がないため、充放電制御計画ＰＬをより柔軟に作成することができる。また、通電状態ＡＣと充電状態ＣＨとを共通の充放電状態として推定可能になるため、蓄電池の充放電制御装置１００は、予定の時間帯の充放電状態をより高精度に推定することができ、ノートＰＣ３０をより計画通りに制御可能な充放電制御計画ＰＬを作成することができる。
【０１８０】
一方、放電状態ＢＡは、ＡＣ電源が使用できない環境における充放電状態であり、ノートＰＣ３０は放電状態ＢＡになる。これに対し、ＡＣ電源が使用可能な場合、ノートＰＣ３０の充放電状態はいずれの充放電状態にもなり得る。したがって、例えば、蓄電池の充放電制御装置１００は、少なくとも、推定した充放電状態が放電状態ＢＡである予定の時間帯に放電状態ＢＡを指定する充放電制御計画ＰＬを作成すればよい。そして、蓄電池の充放電制御装置１００は、推定した充放電状態が放電状態ＢＡ以外である予定の時間帯には、ピーク電力が小さくなるように、いずれかの充放電状態を有する充放電制御計画ＰＬを作成する。
【０１８１】
即ち、蓄電池の充放電制御装置１００における制御計画作成手段は、推定した充放電状態が放電状態ＢＡである場合に第１の予定（選択した予定）の時間帯に放電状態ＢＡを有し、推定した充放電状態が放電状態ＢＡ以外の充放電状態である場合に、第１の予定の時間帯にいずれかの充放電状態を有する充放電制御計画ＰＬを作成する。これにより、蓄電池の充放電制御装置１００は、少なくとも、推定した充放電状態が放電状態ＢＡである予定の時間帯にのみ放電状態ＢＡを指定すればよいため、より柔軟に充放電制御計画ＰＬを作成することができる。また、蓄電池の充放電制御装置１００は、通電状態ＡＣと充電状態ＣＨを区別して推定する必要がないため、予定の時間帯の充放電状態をより高精度に推定することができ、より計画通りに制御可能な充放電制御計画ＰＬを作成することができる。
【０１８２】
続いて、図２１、図２２のフローチャート図で説明した、第５の実施の形態例における蓄電池の充放電制御装置１００の処理を具体例に基づいて説明する。
【０１８３】
［具体例］
図２３は、第５の実施の形態例における蓄電池の充放電制御装置１００の処理の具体例を説明する図である。具体例において、蓄電池の充放電制御装置１００は、２０１３/１/３１の充放電制御計画ＰＬを作成する場合を例示する。図２３は、Ｕｓｅｒ１の２０１３/１/３１の予定表ＳＣ５、Ｕｓｅｒ１の予定の履歴ＳＣＲ５、ＰＣ１の充放電状態履歴ＳＴ５、予定の推定情報ＳＰ５、ＰＣ１の充放電制御計画ＰＬ５ａ、ＰＬ５ｂの一例を有する。充放電制御計画ＰＬ５ｂは、推定した予定の時間帯の充放電状態を考慮して作成される充放電制御計画ＰＬであって、充放電制御計画ＰＬ５ａは、推定した予定の時間帯の充放電状態を考慮せずに作成される充放電制御計画ＰＬを示す。
【０１８４】
充放電制御計画ＰＬの作成時刻に達すると（Ｓ２−１のＹＥＳ）、推定部１３６は、予定情報ＰＮから、充放電制御計画ＰＬ５ｂの作成対象の期間（具体例では、２０１３/１/３１）における、対象とするノートＰＣ３０（具体例では、ＰＣ１）のユーザ（具体例では、Ｕｓｅｒ１）の予定表ＳＣ５を抽出する（Ｓ１１−１）。続いて、推定部１３６は、図２３のＵｓｅｒ１の２０１３/１/３１の予定表ＳＣ５から、例えば、予定「１３:３０〜１５:００：Ａ社出張」を選択する（Ｓ１１−２）。また、図２３のＵｓｅｒ１の予定の履歴ＳＣＲ５によると、「Ａ社出張」という名称の予定は、３つ存在する。したがって、推定部１３６は、Ｕｓｅｒ１の予定の履歴ＳＣＲ５から、３つの予定の履歴「２０１３/１/２８ １３:３０〜１６:００」、「２０１３/１/２９ １４:００〜１５:３０」、「２０１３/１/３０ １０:００〜１１:３０」を抽出する（Ｓ１１−３）。図２３の充放電状態履歴ＳＴ５によると、抽出した予定の履歴の充放電状態は全て放電状態ＢＡである（Ｓ１１−４）。したがって、推定部１３６は、図２３の推定情報ＳＰ５に示すように、ＰＣ１の２０１３/１/３１ １３:３０〜１５:００の充放電状態が、放電状態ＢＡである旨、推定する（Ｓ１１−５）。
【０１８５】
そして、充放電制御計画作成部１３３は、ＰＣ１の２０１３/１/３１の１３:３０〜１５:００に推定した放電状態ＢＡを指定すると共に、ピーク電力が小さくなるように、１５:００〜１６:３０に放電状態ＢＡを指定する充放電制御計画ＰＬ５ｂを作成する（Ｓ２−２）。なお、１３:３０〜１５:００にＰＣ１のバッテリ残量が少ない場合、バッテリ駆動できない。したがって、充放電制御計画作成部１３３は、９:００〜１１:３０（図２３のｆ１）に放電状態ＢＡ以外の充放電状態を指定すると共に、電力需要予測が少ない１１:３０〜１２:３０（図２３のｆ２）に充電状態ＣＨを指定することによって、１３:３０の時点に十分なバッテリ残量を保持可能にする充放電制御計画ＰＬ５ｂを作成する。
【０１８６】
これに対し、図２３の充放電制御計画ＰＬ５ａによると、１３：３０〜１５：００に通電状態ＡＣが指定されると共に、１５：００〜１６：３０に放電状態ＢＡが指定される。しかしながら、Ａ社への出張により、ＰＣ１は１３：３０〜１５：００の時間帯に放電状態ＢＡとなることで、１５：００〜１６：３０の時間帯にバッテリ残量が不足することから、通電状態ＡＣになってしまう。この結果、１５：００〜１６：３０に消費電力が増加しピーク電力が増加してしまう。
【０１８７】
なお、第１の実施の形態例と同様にして、推定部１３６は、抽出する対象の予定の履歴を、一定期間内の予定の履歴に限定してもよいし、名称に加えて、曜日や時間帯（午前、午後等）が選択した予定と同一の予定の履歴に限定してもよい。または、推定部１３６は、名称に加えて、開始時刻が選択した予定と同一の予定の履歴のみを抽出してもよい。例えば、具体例において、推定部１３６は、さらに開始時刻が選択した予定と同一の予定の履歴「２０１３/１/２８ １３：３０〜１６：００」のみを抽出する（Ｓ１１−３）。また、推定部１３６は、名称に加えて、終了時刻が選択した予定と同一の予定の履歴のみを抽出してもよい。
【０１８８】
また、推定部１３６が推定する予定の時間帯の充放電状態は、単一の充放電状態でなくてもよい。例えば、推定部１３６は、予定の時間帯を開始時刻から一定の単位時間毎に充放電状態を推定してもよい。単位時間毎に充放電状態を推定することによって、推定部１３６は、前半はＡＣ電源のない会議室で打合せをし、後半ではＡＣ電源のある場所で作業をするような予定の充放電状態を、より高精度に推定することができる。
【０１８９】
以上のように、第５の実施の形態例における蓄電池の充放電制御装置１００は、蓄電池の放電状態ＢＡ、通電状態ＡＣ、充電状態ＣＨを含む充放電状態を取得する充放電状態取得手段と、第１の蓄電池のユーザの予定を取得する予定取得手段とを有する。また、蓄電池の充放電制御装置１００は、第１の予定と識別情報が同一の１つまたは複数の第２の予定の履歴の時間帯における充放電状態に基づいて、第１の蓄電池の第１の予定の時間帯の充放電状態を推定する推定手段と、複数の蓄電池の充放電制御計画を、ピーク電力が小さくなるように作成する制御計画作成手段とを有する。そして、制御計画作成手段は、第１の蓄電池の充放電制御計画が、第１の予定の時間帯に推定した充放電状態を有するように充放電制御計画を作成する。
【０１９０】
これにより、蓄電池の充放電制御装置１００は、識別情報が同一の予定の充放電状態が同一の傾向を有することに注目することによって、予定の充放電状態を推定することができる。したがって、蓄電池の充放電制御装置１００は、予定の時間帯に推定した充放電状態を有する充放電制御計画ＰＬを作成することができる。これにより、蓄電池の充放電制御装置１００は、実現性の高い充放電制御計画ＰＬを作成することができ、蓄電池の本来の導入目的と相反することなく、ピーク電力をより確実に抑えることができる。
【０１９１】
なお、第５の実施の形態例の蓄電池の充放電制御装置１００においても、制御計画作成手段は、第１の蓄電池の推定した充放電状態を考慮せずに作成した充放電制御計画において、第１の予定の時間帯に推定した充放電状態が発生した場合にピーク電力が増加しない場合、推定した充放電状態を考慮せずに充放電制御計画を作成してもよい。したがって、蓄電池の充放電制御装置１００は、ピーク電力に影響が生じない場合に、より柔軟に充放電制御計画ＰＬを作成することができる。
【０１９２】
［第６の実施の形態例］
第６の実施の形態例における蓄電池の充放電制御装置１００は、予定の時間帯に加えて、その前後の時間帯についても充放電状態を推定し、推定した充放電状態を有する充放電制御計画ＰＬを作成する。予定の前後には、予定に伴う場所の移動や、議事録の作成等の一定の作業が生じることがある。したがって、第６の実施の形態例における蓄電池の充放電制御装置１００は、予定の前後の時間帯の充放電状態を合わせて推定することによって、より実現性の高い充放電制御計画ＰＬを作成する。
【０１９３】
第６の実施の形態例における蓄電池の充放電制御装置１００の構成及びブロック図は、第５の実施の形態例と同様である。
【０１９４】
［フローチャート図］
図２４は、第６の実施の形態例における蓄電池の充放電制御装置１００の処理の流れを説明するフローチャート図である。第６の実施の形態例における処理のフローチャート図は、図２１の第５の実施の形態例におけるフローチャート図と工程Ｓ１１を除いて同様である。即ち、第６の実施の形態例における蓄電池の充放電制御装置１００は、図２１の工程Ｓ１１の代わりに、工程Ｓ１２の処理を行う。工程Ｓ１２−１〜Ｓ１２−５の処理は、図２２の第５の実施の形態例の工程Ｓ１１−１〜Ｓ１１−５と同様である。
【０１９５】
具体的に、工程Ｓ１２において、推定部１３６は、予定情報ＰＮから、充放電制御計画ＰＬを作成済みの期間（この例では、当日）における、対象のノートＰＣ３０のユーザの予定を抽出する（Ｓ１２−１）。次に、推定部１３６は、抽出した予定から、１つの予定を選択し（Ｓ１２−２）、予定情報ＰＮから、選択した予定と識別情報が同一の１つまたは複数の予定の履歴を抽出する（Ｓ１２−３）。次に、推定部１３６は、抽出した予定の履歴すべてについて、予定の時間帯における充放電状態を抽出する（Ｓ１２−４）。そして、推定部１３６は、抽出した充放電状態の中で最も多い充放電状態を、予定の時間帯に発生し得る充放電状態と推定する（Ｓ１２−５）。
【０１９６】
続いて、推定部１３６は、抽出した予定の履歴について、予定の時間帯の前の所定時間の充放電状態を抽出する（Ｓ１２−６）。そして、推定部１３６は、抽出した充放電状態の中で最も多い充放電状態を、選択した予定の時間帯の、前の所定時間における充放電状態として推定する（Ｓ１２−７）。同様にして、推定部１３６は、抽出した予定の履歴について、予定の時間帯の後の所定時間の充放電状態を抽出する（Ｓ１２−８）。そして、推定部１３６は、抽出した充放電状態の中で最も多い充放電状態を、選択した予定の時間帯の、後の所定時間における充放電状態として推定する（Ｓ１２−９）。
【０１９７】
そして、充放電制御計画作成部１３３は、予定の時間帯、及び、その前後の時間帯に、推定した充放電状態を有し、電力需要予測、各ノートＰＣ３０の仕様、現在の充放電状態とバッテリ残量を考慮して、ピーク電力が小さくなるように、充放電制御計画ＰＬを作成する（Ｓ１２−１０）。
【０１９８】
続いて、図２４のフローチャート図で説明した、第６の実施の形態例における蓄電池の充放電制御装置１００の処理を具体例に基づいて説明する。具体例における予定の時間帯の前後の所定時間は、例えば、３０分である。
【０１９９】
［具体例］
図２５は、第６の実施の形態例における蓄電池の充放電制御装置１００の処理の具体例を説明する図である。具体例において、蓄電池の充放電制御装置１００は、２０１３/１/３１の充放電制御計画ＰＬを作成する場合を例示する。図２５は、Ｕｓｅｒ１の２０１３/１/３１の予定表ＳＣ６、Ｕｓｅｒ１の予定の履歴ＳＣＲ６、ＰＣ１の充放電状態履歴ＳＴ６、予定の推定情報ＳＰ６、ＰＣ１の充放電制御計画ＰＬ６ｂの一例を有する。
【０２００】
第５の実施の形態例と同様にして、推定部１３６は、図２５のＵｓｅｒ１の２０１３/１/３１の予定表ＳＣ６から、予定「１３:３０〜１５:００：Ａ社出張」を選択する（Ｓ１２−２）。また、推定部１３６は、Ｕｓｅｒ１の予定の履歴ＳＣＲ６から、３つの予定の履歴「２０１３/１/２８ １３:３０〜１６:００」、「２０１３/１/２９ １４:００〜１５:３０」、「２０１３/１/３０ １０:００〜１１:３０」を抽出する（Ｓ１２−３）。図２５の充放電状態履歴ＳＴ６によると、抽出した予定の履歴の充放電状態は全て放電状態ＢＡである（Ｓ１２−４）。したがって、推定部１３６は、ＰＣ１の２０１３/１/３１ １３:３０〜１５:００の充放電状態が、放電状態ＢＡである旨、推定する（Ｓ１２−５）。
【０２０１】
続いて、推定部１３６は、抽出した予定の履歴のそれぞれ３０分前における充放電状態を抽出する（Ｓ１２−６）。抽出した充放電状態は充電状態ＣＨが２つ、通電状態ＡＣが１つであるため、推定部１３６は、図２５の推定情報ＳＰ６に示すように、２０１３/１/３１ １３:００〜１３:３０の充放電状態を充電状態ＣＨと推定する（Ｓ１２−７）。また、推定部１３６は、抽出した予定の履歴のそれぞれ３０分後におけるＰＣ１の充放電状態（すべて通電状態ＡＣ）を抽出する（Ｓ１２−８）。したがって、推定部１３６は、図２５の推定情報ＳＰ６に示すように、２０１３/１/３１ １５:００〜１５:３０の充放電状態を通電状態ＡＣと推定する（Ｓ１２−９）。
【０２０２】
そして、充放電制御計画作成部１３３は、ＰＣ１の２０１３/１/３１の１３:３０〜１５:００に放電状態ＢＡ、１３：００〜１３：３０に推定した充電状態ＣＨ、１５：００〜１５：３０に通電状態ＡＣを指定すると共に、ピーク電力が小さくなるように、充放電制御計画ＰＬ６ｂを作成する（Ｓ２−２）。なお、１３:３０〜１５:００にＰＣ１のバッテリ残量が少ない場合、バッテリ駆動できない。したがって、充放電制御計画作成部１３３は、さらに、充放電制御計画ＰＬ６ｂにおける、電力需要予測が少ない１２:００〜１２:３０に充電状態ＣＨを指定することによって、１３:３０の時点にＰＣ１が十分なバッテリ残量を保持可能にする充放電制御計画ＰＬ６ｂを作成する。
【０２０３】
なお、具体例では、予定の時間帯の前後の所定時間が３０分である場合を例示した。しかし、所定時間はこの例に限定されるものではなく、他の時間であってもよいし、予定の時間帯の前後における推定した充放電状態が継続する時間であってもよい。具体例において、いずれの予定の履歴においても、予定の時間帯の後、６０分間、通電状態ＡＣが継続している。したがって、蓄電池の充放電制御装置１００は、例えば、予定の時間帯の後の６０分間、通電状態ＡＣが継続すると推定し、１５：００〜１６：００に通電状態ＡＣを指定する充放電制御計画ＰＬ６ｂを作成してもよい。
【０２０４】
以上のように、第６の実施の形態例における蓄電池の充放電制御装置１００において、推定手段は、第１の予定の時間帯の前記充放電状態に加えて、予定の時間帯の前、後いずれかまたは両方の所定時間の充放電状態を推定する。これにより、蓄電池の充放電制御装置１００は、予定の時間帯に加えて、予定の時間帯の前後の時間帯に推定した充放電状態を有する充放電制御計画ＰＬを作成することができる。予定の前後には、予定に伴う場所の移動や、一定の作業が生じることがあるため、蓄電池の充放電制御装置１００は、予定の前後の時間帯の充放電状態を合わせて推定することによって、より実現性の高い充放電制御計画ＰＬを作成することができ、ピーク電力をより確実に抑えることができる。
【０２０５】
［第７の実施の形態例］
予定の開始時刻及び終了時刻は、例えば、出張や打合せなどが長引いたり、逆に早まったりすることで、実際とは異なることがある。予定に応じてノートＰＣ３０を持ち運ぶ場合、予定の実際の開始時刻及び終了時刻に、充放電状態が変化する。第７の実施の形態例における蓄電池の充放電制御装置１００は、充放電状態の履歴に基づいて、予定の開始時刻及び終了時刻を修正する。蓄電池の充放電制御装置１００は、予定の開始時刻及び終了時刻を修正することにより、より実現性の高い充放電制御計画ＰＬを作成することができる。
【０２０６】
第７の実施の形態例における蓄電池の充放電制御装置１００の構成及びブロック図は、第５の実施の形態例と同様である。
【０２０７】
［フローチャート図］
図２６は、第７の実施の形態例における蓄電池の充放電制御装置１００の処理の流れを説明するフローチャート図である。第７の実施の形態例における処理のフローチャート図は、図２１の第５の実施の形態例におけるフローチャート図と工程Ｓ１１を除いて同様である。即ち、第７の実施の形態例における蓄電池の充放電制御装置１００は、図２１の工程Ｓ１１の代わりに、工程Ｓ１３の処理を行う。工程Ｓ１３−１〜工程Ｓ１３−３の処理は、図２２の第５の実施の形態例の工程Ｓ１１−１〜Ｓ１１−３と同様である。
【０２０８】
具体的に、工程Ｓ１３において、推定部１３６は、予定情報ＰＮから、充放電制御計画ＰＬを作成済みの期間（この例では、当日）における、対象とするノートＰＣ３０のユーザの予定表ＳＣ７を抽出する（Ｓ１３−１）。次に、推定部１３６は、抽出した予定から、１つの予定を選択し（Ｓ１３−２）、予定情報ＰＮから、選択した予定と識別情報が同一の１つまたは複数の予定の履歴を抽出する（Ｓ１３−３）。続いて、推定部１３６は、抽出した予定の履歴すべてについて、予定の時間帯に加えて、予定の時間帯の前後の時間帯における充放電状態を抽出する（Ｓ１３−４）。
【０２０９】
続いて、推定部１３６は、抽出した充放電状態に基づいて、抽出した予定の履歴の開始時刻の前後で充放電状態が変化する場合（Ｓ１３−５のＹＥＳ）、予定の履歴の開始時刻が登録通りであったと判定し、登録した開始時刻を実際の開始時刻として推定する。一方、予定の履歴の開始時刻の前後で充放電状態が変化していない場合（Ｓ１３−５のＮＯ）、開始時刻の最も近くで充放電状態が変化した時刻を、実際の開始時刻として推定する（Ｓ１３−６）。例えば、推定部１３６は、開始時刻から継続時間前の時刻から終了時刻までの間を、充放電状態の変化を検出する対象の時間帯とする。この時間帯で充放電状態が変化していない場合、推定部１３６は、予定によって充放電状態が変化しないとみなし、予定の履歴の開始時刻が登録通りであると判定する。
【０２１０】
そして、推定部１３６は、抽出した予定の履歴の推定した予定の開始時刻と登録した開始時刻との差分時間のうち、最長の差分時間を、選択した予定の差分時間とし、開始時刻を修正する（Ｓ１３−７）。なお、推定部１３６は、差分時間の平均を選択した予定の差分時間として開始時刻を修正してもよい。また、推定部１３６は、抽出した予定の履歴のうち、選択した予定と曜日や時間帯が同一の予定の履歴のみに基づいて、予定の開始時刻を修正してもよい。推定部１３６は、例えば、終了時刻についても同様にして、工程Ｓ１３−５〜Ｓ１３−７の処理を行う。
【０２１１】
続いて、図２６のフローチャート図で説明した、第７の実施の形態例における蓄電池の充放電制御装置１００の処理を具体例に基づいて説明する。
【０２１２】
［具体例］
図２７は、第７の実施の形態例における蓄電池の充放電制御装置１００の処理の具体例を説明する図である。具体例において、蓄電池の充放電制御装置１００は、２０１３/１/３１の充放電制御計画ＰＬを作成する場合を例示する。図２７は、Ｕｓｅｒ１の２０１３/１/３１の予定表ＳＣ７、Ｕｓｅｒ１の予定の履歴ＳＣＲ７、ＰＣ１の充放電状態履歴ＳＴ７、予定の推定情報ＳＰ７、ＰＣ１の充放電制御計画ＰＬ７ｂの一例を有する。
【０２１３】
第５、６の実施の形態例と同様にして、推定部１３６は、図２７のＵｓｅｒ１の２０１３/１/３１の予定表ＳＣ７から、予定「１３:３０〜１５:００：Ａ社出張」を選択する（Ｓ１３−２）。また、推定部１３６は、Ｕｓｅｒ１の予定の履歴ＳＣＲ７から、３つの予定の履歴「２０１３/１/２８ １３:３０〜１６:００」、「２０１３/１/２９ １４:００〜１５:３０」、「２０１３/１/３０ １０:００〜１１:３０」を抽出する（Ｓ１３−３）。
【０２１４】
また、図２７の充放電状態履歴ＳＴ７によると、ＰＣ１の予定の履歴の時間帯における充放電状態は、「２０１３/１/２８」を除いて、開始時刻の前後で通電状態ＡＣから放電状態ＢＡに変化している（Ｓ１３−５のＹＥＳ）。したがって、推定部１３６は、予定の開始時刻を修正しない。一方、予定の終了時刻について、ＰＣ１の予定の履歴「２０１３/１/２８」、「２０１３/１/２９」の充放電状態は、終了時刻の前後で変化しておらず（Ｓ１３−５のＮＯ）、終了時刻の３０分前に変化している（Ｓ１３−６）。なお、ＰＣ１の予定の履歴「２０１３/１/３０」の充放電状態は、終了時刻の３０分後に変化している（Ｓ１３−５のＮＯ、Ｓ１３−６）。したがって、推定部１３６は、予定の履歴「２０１３/１/２８」、「２０１３/１/２９」に基づいて、図２７の推定情報ＳＰ７に示すように、予定の終了時刻を１５：００から１４：３０に修正する（Ｓ１３−７）。
【０２１５】
そして、充放電制御計画作成部１３３は、ＰＣ１の２０１３/１/３１の１３:３０〜１４:３０に推定した放電状態ＢＡを指定すると共に、ピーク電力が小さくなるように、充放電制御計画ＰＬ７ｂを作成する（Ｓ２−２）。なお、蓄電池の充放電制御装置１００は、例えば、毎朝、前日の予定の履歴に基づいて、予定の開始時刻及び終了時刻を修正してもよい。なお、蓄電池の充放電制御装置１００は、予定の履歴における修正済みの開始時刻及び終了時刻に基づいて、修正処理を行う。
【０２１６】
以上のように、第７の実施の形態例における蓄電池の充放電制御装置１００において、第１の予定の時間帯の前または後の時間帯を含む時間内で充放電状態が変化する時刻を、第１の予定の開始または終了時刻として修正する。これにより、蓄電池の充放電制御装置１００は、予定の開始時刻と終了時刻をより正確な時刻に修正することにより、予定の時間帯の充放電状態をより高精度に推定することができる。したがって、より実現性の高い充放電制御計画ＰＬを作成することができ、ピーク電力をより確実に抑えることができる。
【０２１７】
以上の実施の形態をまとめると、次の付記のとおりである。
【０２１８】
（付記１）
１つまたは複数の蓄電池の充放電制御計画に基づく制御サービスを提供する蓄電池の充放電制御装置であって、
前記蓄電池の放電状態、通電状態、充電状態を含む充放電状態を取得する充放電状態取得手段と、
前記取得した前記充放電状態が、前記充放電制御計画に指定される前記充放電状態と異なる場合に、第１の計画外使用を検出する計画外使用検出手段と、
前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定手段と、
前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正手段と、を有する蓄電池の充放電制御装置。
【０２１９】
（付記２）
付記１において、
前記制御計画修正手段は、修正後の前記第１、第２の蓄電池の充放電制御計画を含む前記複数の蓄電池の充放電制御計画に基づいた場合のピーク電力が、前記第１、第２の蓄電池の充放電制御計画を修正しない場合のピーク電力を超えないように、または、所定の制限値を超えないように、前記第２の蓄電池の充放電制御計画を修正する蓄電池の充放電制御装置。
【０２２０】
（付記３）
付記１または２において、
前記制御計画修正手段は、さらに、前記第１の蓄電池の前記充放電制御計画の前記継続時間以外の時間帯の前記充放電状態を、前記継続時間に前記推定した充放電状態への制御が可能になるように修正する蓄電池の充放電制御装置。
【０２２１】
（付記４）
付記１乃至３のいずれかにおいて、
前記推定手段は、前記計画外使用履歴に含まれる、前記第１の計画外使用の検出開始時に前記取得した充放電状態と前記充放電制御計画に指定される充放電状態とが、前記第１の計画外使用と一致する前記計画外使用エントリに基づいて推定する蓄電池の充放電制御装置。
【０２２２】
（付記５）
付記１乃至４のいずれかにおいて、
前記推定手段は、抽出した前記計画外使用エントリの前記継続時間のうち最長の継続時間を、前記第１の計画外使用の継続時間として推定する蓄電池の充放電制御装置。
【０２２３】
（付記６）
付記１乃至５のいずれかにおいて、
前記推定手段は、抽出した前記計画外使用エントリの前記継続時間における前記充放電状態のうち、最も多い充放電状態を前記第１の計画外使用の充放電状態として推定する蓄電池の充放電制御装置。
【０２２４】
（付記７）
付記１乃至６のいずれかにおいて、
前記制御計画修正手段における前記第２の蓄電池は、前記第１の計画外使用の継続時間を含む所定時間に前記計画外使用が発生していない蓄電池である蓄電池の充放電制御装置。
【０２２５】
（付記８）
付記１乃至７のいずれかにおいて、
前記計画外使用検出手段は、さらに、取得した前記第１の蓄電池の所定時間の前記充放電状態と、前記計画外使用の開始時刻前の前記所定時間の充放電状態が同一である第１の蓄電池の前記計画外使用エントリに基づいて、前記所定時間の経過後に発生する第１の計画外使用を検出する蓄電池の充放電制御装置。
【０２２６】
（付記９）
付記１乃至７のいずれかにおいて、さらに、
前記第１の蓄電池のユーザの予定を取得する予定取得手段を有し、
前記計画外使用検出手段は、さらに、第１の予定と識別情報が同一の１つまたは複数の第２の予定の履歴を抽出し、前記抽出した第２の予定の履歴に対応する前記計画外使用エントリに基づいて前記第１の予定に対応して発生する前記第１の計画外使用を検出する蓄電池の充放電制御装置。
【０２２７】
（付記１０）
付記９において、
前記計画外使用検出手段は、検出した前記計画外使用エントリの継続時間における前記充放電状態が前記通電状態である場合、前記第１の計画外使用を検出しない蓄電池の充放電制御装置。
【０２２８】
（付記１１）
付記９において、
前記計画外使用検出手段は、前記計画外使用エントリが抽出されない場合であっても、前記第２の予定の履歴の時間帯における充放電状態が全て前記放電状態である場合、前記第１の計画外使用を検出し、
前記推定手段は、前記第１の計画外使用の充放電状態を前記放電状態として推定する蓄電池の充放電制御装置。
【０２２９】
（付記１２）
付記９において、
前記計画外使用検出手段は、前記計画外使用エントリが抽出されず、前記第２の予定の履歴の時間帯における充放電状態が全ての種類の前記充放電状態を含む場合に、前記第１の計画外使用を検出しない蓄電池の充放電制御装置。
【０２３０】
（付記１３）
付記９において、
前記制御計画修正手段は、前記第１の蓄電池の充放電制御計画を、前記推定した前記第１の計画外使用の継続時間に前記推定した充放電状態を有するように修正する場合のピーク電力を超えないように、前記第１の蓄電池の前記充放電制御計画を前記第１の予定の時間帯に前記推定した充放電状態以外の充放電状態を有するように修正し、
前記計画外使用検出手段は、前記第１の予定の時間帯に前記計画外使用を検出しないとき、前記第１の計画外使用に対応する前記計画外使用エントリを削除し、第１の予定が第２の予定と識別情報が同一の予定として抽出された場合に、第２の予定の前記計画外使用を検出しない蓄電池の充放電制御装置。
【０２３１】
（付記１４）
付記１乃至１３のいずれかにおいて、
前記制御計画修正手段は、前記第１の蓄電池の充放電制御計画に基づき、かつ第１の蓄電池において前記推定した前記第１の計画外使用の継続時間に前記推定した充放電状態が発生した場合のピーク電力が、前記第１の蓄電池の充放電制御計画を修正しない場合の前記ピーク電力を超えない場合は、前記充放電制御計画を修正しない蓄電池の充放電制御装置。
【０２３２】
（付記１５）
付記１乃至１３のいずれかにおいて、さらに、
前記複数の蓄電池の前記充放電制御計画を、前記複数の蓄電池の充放電制御計画に基づいた場合のピーク電力が小さくなるように作成する制御計画作成手段と、を有し、
前記制御計画作成手段は、前記第１の蓄電池の前記充放電制御計画が、前記推定した前記第１の計画外使用の継続時間に前記推定した充放電状態を有するように、前記充放電制御計画を作成する蓄電池の充放電制御装置。
【０２３３】
（付記１６）
付記１５において、さらに、
前記第１の蓄電池のユーザの予定を取得する予定取得手段と、を有し、
前記推定手段は、第１の予定と識別情報が同一の１つまたは複数の前記第２の予定の履歴の時間帯における充放電状態に基づいて、前記第１の蓄電池の前記第１の予定の時間帯の前記充放電状態を推定し、
前記制御計画作成手段は、前記第１の蓄電池の前記充放電制御計画が、前記第１の予定の時間帯に前記推定した充放電状態を有するように前記充放電制御計画を作成する蓄電池の充放電制御装置。
【０２３４】
（付記１７）
１つまたは複数の蓄電池の充放電制御計画に基づく制御サービスを提供する蓄電池の充放電制御装置であって、
前記蓄電池の放電状態、通電状態、充電状態を含む充放電状態を取得する充放電状態取得手段と、
第１の蓄電池のユーザの予定を取得する予定取得手段と、
第１の予定と識別情報が同一の１つまたは複数の第２の予定の履歴の時間帯における充放電状態に基づいて、前記第１の蓄電池の前記第１の予定の時間帯の前記充放電状態を推定する推定手段と、
前記複数の蓄電池の前記充放電制御計画を、前記複数の蓄電池の充放電制御計画に基づく合計消費電力のピーク電力が小さくなるように作成する制御計画作成手段と、を有し、
前記制御計画作成手段は、前記第１の蓄電池の前記充放電制御計画が、前記第１の予定の時間帯に前記推定した充放電状態を有するように前記充放電制御計画を作成する蓄電池の充放電制御装置。
【０２３５】
（付記１８）
付記１６または１７において、
前記制御計画作成手段は、前記推定した充放電状態が前記放電状態である場合に前記第１の予定の時間帯に前記放電状態を有し、前記推定した充放電状態が前記放電状態以外の充放電状態である場合に、前記第１の予定の時間帯に前記通電状態または前記充電状態のいずれかの充放電状態を有する前記充放電制御計画を作成する蓄電池の充放電制御装置。
【０２３６】
（付記１９）
付記１６または１７において、
前記制御計画作成手段は、前記第１の蓄電池の推定した充放電状態を考慮せずに作成した充放電制御計画において、前記第１の予定の時間帯に前記推定した充放電状態が発生した場合にピーク電力が増加しない場合、前記推定した充放電状態を考慮せずに前記充放電制御計画を作成する蓄電池の充放電制御装置。
【０２３７】
（付記２０）
付記１６または１７において、
前記推定手段は、前記予定の時間帯の前記充放電状態に加えて、前記第１の予定の時間帯の前、後いずれかまたは両方の時間帯の前記充放電状態を推定する蓄電池の充放電制御装置。
【０２３８】
（付記２１）
付記１６または１７において、
前記推定手段は、前記第１の予定の時間帯の前または後の時間帯を含む時間内で前記充放電状態が変化する時刻を、前記第１の予定の開始または終了時刻として修正する蓄電池の充放電制御装置。
【０２３９】
（付記２２）
付記１乃至２１のいずれかにおいて、さらに、
前記蓄電池を前記充放電制御計画に基づいて制御する充放電状態制御手段と、を有する蓄電池の充放電制御装置。
【０２４０】
（付記２３）
１つまたは複数の蓄電池の充放電制御計画に基づく制御サービスを提供する蓄電池の充放電制御方法であって、
前記蓄電池の放電状態、通電状態、充電状態を含む充放電状態を取得する充放電状態取得工程と、
前記取得した前記充放電状態が、前記充放電制御計画に指定される前記充放電状態と異なる場合に、第１の計画外使用を検出する計画外使用検出工程と、
前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定工程と、
前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正工程と、を有する蓄電池の充放電制御方法。
【０２４１】
（付記２４）
１つまたは複数の蓄電池の充放電制御計画に基づく制御サービスを提供する蓄電池の充放電制御方法であって、
前記蓄電池の放電状態、通電状態、充電状態を含む充放電状態を取得する充放電状態取得工程と、
第１の蓄電池のユーザの予定を取得する予定取得工程と、
第１の予定と識別情報が同一の１つまたは複数の第２の予定の履歴の時間帯における充放電状態に基づいて、前記第１の蓄電池の前記第１の予定の時間帯の前記充放電状態を推定する推定工程と、
前記複数の蓄電池の前記充放電制御計画を、前記複数の蓄電池の充放電制御計画に基づく合計消費電力のピーク電力が小さくなるように作成する制御計画作成工程と、を有し、
前記制御計画作成工程は、前記第１の蓄電池の前記充放電制御計画が、前記第１の予定の時間帯に前記推定した充放電状態を有するように前記充放電制御計画を作成する蓄電池の充放電制御方法。
【０２４２】
（付記２５）
１つまたは複数の蓄電池の充放電制御計画に基づく制御サービスを提供する蓄電池の充放電制御処理をコンピュータに実行させるコンピュータ読み取り可能な蓄電池の充放電制御プログラムであって、
前記蓄電池の放電状態、通電状態、充電状態を含む充放電状態を取得する充放電状態取得工程と、
前記取得した前記充放電状態が、前記充放電制御計画に指定される前記充放電状態と異なる場合に、第１の計画外使用を検出する計画外使用検出工程と、
前記第１の計画外使用を検出した第１の蓄電池の計画外使用履歴に含まれる、前記第１の計画外使用に対応する計画外使用エントリに基づいて、前記第１の計画外使用の継続時間及び充放電状態を推定する推定工程と、
前記第１の蓄電池の充放電制御計画を、前記推定した前記第１の計画外使用の継続時間に前記推定した充放電状態を有するように修正すると共に、前記充放電制御計画に前記推定した継続時間に前記推定した充放電状態を有する第２の蓄電池の前記充放電制御計画を、前記第１の蓄電池の充放電制御計画の修正に対応して修正する制御計画修正工程と、を有する蓄電池の充放電制御プログラム。
【０２４３】
（付記２６）
１つまたは複数の蓄電池の充放電制御計画に基づく制御サービスを提供する蓄電池の充放電制御処理をコンピュータに実行させるコンピュータ読み取り可能な蓄電池の充放電制御プログラムであって、
前記蓄電池の放電状態、通電状態、充電状態を含む充放電状態を取得する充放電状態取得工程と、
第１の蓄電池のユーザの予定を取得する予定取得工程と、
第１の予定と識別情報が同一の１つまたは複数の第２の予定の履歴の時間帯における充放電状態に基づいて、前記第１の蓄電池の前記第１の予定の時間帯の前記充放電状態を推定する推定工程と、
前記複数の蓄電池の前記充放電制御計画を、前記複数の蓄電池の充放電制御計画に基づく合計消費電力のピーク電力が小さくなるように作成する制御計画作成工程と、を有し、
前記制御計画作成工程は、前記第１の蓄電池の前記充放電制御計画が、前記第１の予定の時間帯に前記推定した充放電状態を有するように前記充放電制御計画を作成する蓄電池の充放電制御プログラム。
【符号の説明】
【０２４４】
１００：蓄電池の充放電制御装置、３０：ノートＰＣ、１３０：制御部、１３１：状態取得部、１３２：計画外使用検出部、１３３：充放電制御計画作成部、１３４：充放電制御計画保存部、１３５：充放電状態制御部、１３６：推定部、１３７：充放電制御計画修正部、１３８：予定取得部、１２０：記憶部、ＳＴ：充放電状態履歴、ＰＬ：充放電制御計画、ＩＬ：計画外使用履歴、ＰＮ：ユーザの予定情報
【図１】
2015104213.tif 000003
【図２】
2015104213.tif 000004
【図３】
2015104213.tif 000005
【図４】
2015104213.tif 000006
【図５】
2015104213.tif 000007
【図６】
2015104213.tif 000008
【図７】
2015104213.tif 000009
【図８】
2015104213.tif 000010
【図９】
2015104213.tif 000011
【図１０】
2015104213.tif 000012
【図１１】
2015104213.tif 000013
【図１２】
2015104213.tif 000014
【図１３】
2015104213.tif 000015
【図１４】
2015104213.tif 000016
【図１５】
2015104213.tif 000017
【図１６】
2015104213.tif 000018
【図１７】
2015104213.tif 000019
【図１８】
2015104213.tif 000020
【図１９】
2015104213.tif 000021
【図２０】
2015104213.tif 000022
【図２１】
2015104213.tif 000023
【図２２】
2015104213.tif 000024
【図２３】
2015104213.tif 000025
【図２４】
2015104213.tif 000026
【図２５】
2015104213.tif 000027
【図２６】
2015104213.tif 000028
【図２７】
2015104213.tif 000029